(57)【要約】  本出願はサウンディング基準信号伝送方法、端末装置とネットワーク装置を開示する。該方法は、端末装置が第一の時間領域リソースユニットにおいて、前記端末装置のサウンディング基準信号（ＳＲＳ）を送信するための複数の第二の時間領域リソースユニットを確定することと、前記端末装置が前記端末装置の周波数ホッピングパターンに基づき、前記複数の第二の時間領域リソースユニットで前記ＳＲＳを送信するためのターゲットリソースを確定することと、前記端末装置が前記ターゲットリソースに基づき、ネットワーク装置へ前記ＳＲＳを送信することとを含む。これにより、異なる端末装置間のＳＲＳ信号の干渉が低減され、端末装置間の持続的な強い干渉も回避される。
2020509630.tif 000002
【特許請求の範囲】
【請求項１】
サウンディング基準信号伝送方法であって、
端末装置は、第一の時間領域リソースユニットにおいて、前記端末装置のサウンディング基準信号（ＳＲＳ）を送信するための複数の第二の時間領域リソースユニットを確定することと、
前記端末装置は、前記端末装置の周波数ホッピングパターンに基づき、前記複数の第二の時間領域リソースユニットで前記ＳＲＳを送信するためのターゲットリソースを確定することと、
前記端末装置は、前記ターゲットリソースに基づき、ネットワーク装置へ前記ＳＲＳを送信することとを含む、前記サウンディング基準信号伝送方法。
【請求項２】
前記第一の時間領域リソースユニットはスロット、ミニスロット又は直交周波数分割多重（ＯＦＤＭ）シンボルであることを特徴とする
請求項１に記載の方法。
【請求項３】
前記第二の時間領域リソースユニットは直交周波数分割多重（ＯＦＤＭ）シンボルであることを特徴とする
請求項１又は２に記載の方法。
【請求項４】
前記ターゲットリソースは、周波数領域リソース及び／又はコードリソースであることを特徴とする
請求項１−３のいずれか一項に記載の方法。
【請求項５】
前記ターゲットリソースが前記ＳＲＳを送信するための周波数領域リソースであり、前記周波数ホッピングパターンが周波数領域リソース周波数ホッピングパターンであり、
前記端末装置が前記端末装置の周波数ホッピングパターンに基づき、前記複数の第二の時間領域リソースユニットで前記ＳＲＳを送信するためのターゲットリソースを確定することは、
前記端末装置は、前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを送信するための周波数領域リソースの位置に基づいて、前記各第二の時間領域リソースユニットにおける前記ＳＲＳを送信するための周波数領域リソースを確定することを含むことを特徴とする
請求項４に記載の方法。
【請求項６】
前記ターゲットリソースが前記ＳＲＳを送信するための周波数領域リソースであり、前記周波数ホッピングパターンが周波数領域リソース周波数ホッピングパターンであり、
前記端末装置が前記端末装置の周波数ホッピングパターンに基づき、前記複数の第二の時間領域リソースユニットで前記ＳＲＳを送信するためのターゲットリソースを確定することは、
前記端末装置は、前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを送信するための周波数領域リソースを確定することを含むことを特徴とする
請求項４に記載の方法。
【請求項７】
前記コードリソースはＳＲＳシーケンスを生成するためのルートシーケンス、及び／又はＳＲＳシーケンスを生成するためのサイクリックシフトであることを特徴とする
請求項４に記載の方法。
【請求項８】
前記ターゲットリソースがＳＲＳシーケンスを生成するためのルートシーケンスであり、前記周波数ホッピングパターンがシーケンス周波数ホッピングパターンであり、
前記端末装置が前記端末装置の周波数ホッピングパターンに基づき、前記複数の第二の時間領域リソースユニットで前記ＳＲＳを送信するためのターゲットリソースを確定することは、
前記端末装置は、前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのルートシーケンスを確定することを含むことを特徴とする
請求項７に記載の方法。
【請求項９】
前記ターゲットリソースがＳＲＳシーケンスを生成するためのサイクリックシフトであり、前記周波数ホッピングパターンがサイクリックシフト周波数ホッピングパターンであり、
前記端末装置が前記端末装置の周波数ホッピングパターンに基づき、前記複数の第二の時間領域リソースユニットで前記ＳＲＳを送信するためのターゲットリソースを確定することは、
前記端末装置は、前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのサイクリックシフトを確定することを含むことを特徴とする
請求項７に記載の方法。
【請求項１０】
前記端末装置が前記ターゲットリソースに基づき、ネットワーク装置へ前記ＳＲＳを送信する前に、前記方法はさらに、
前記端末装置は、前記ネットワーク装置から送信されたダウンリンク制御情報（ＤＣＩ）を受信し、前記ＤＣＩが前記ＳＲＳを送信するように前記端末装置に指示することに用いられ、前記ＤＣＩに前記周波数ホッピングパターンの情報が含まれることを含むことを特徴とする
請求項１−９のいずれか一項に記載の方法。
【請求項１１】
サウンディング基準信号伝送方法であって、
ネットワーク装置は、第一の時間領域リソースユニットにおいて、端末装置から送信されたサウンディング基準信号（ＳＲＳ）を受信するための複数の第二の時間領域リソースユニットを確定することと、
前記ネットワーク装置は、前記端末装置の周波数ホッピングパターンに基づき、前記複数の第二の時間領域リソースユニットで前記ＳＲＳを受信するためのターゲットリソースを確定することと、
前記ネットワーク装置は、前記ターゲットリソースに基づき、前記端末装置から送信された前記ＳＲＳを受信することとを含む、前記サウンディング基準信号伝送方法。
【請求項１２】
前記第一の時間領域リソースユニットはスロット、ミニスロット又は直交周波数分割多重（ＯＦＤＭ）シンボルであることを特徴とする
請求項１１に記載の方法。
【請求項１３】
前記第二の時間領域リソースユニットは直交周波数分割多重（ＯＦＤＭ）シンボルであることを特徴とする
請求項１１又は１２に記載の方法。
【請求項１４】
前記ターゲットリソースは、周波数領域リソース及び／又はコードリソースであることを特徴とする
請求項１１−１３のいずれか一項に記載の方法。
【請求項１５】
前記ターゲットリソースが前記ＳＲＳを送信するための周波数領域リソースであり、前記周波数ホッピングパターンが周波数領域リソース周波数ホッピングパターンであり、
前記ネットワーク装置が前記端末装置の周波数ホッピングパターンに基づき、前記複数の第二の時間領域リソースユニットで前記ＳＲＳを受信するためのターゲットリソースを確定することは、
前記ネットワーク装置は、前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを受信するための周波数領域リソースの位置に基づいて、前記各第二の時間領域リソースユニットにおける前記ＳＲＳを受信するための周波数領域リソースを確定することを含むことを特徴とする
請求項１４に記載の方法。
【請求項１６】
前記ターゲットリソースが前記ＳＲＳを送信するための周波数領域リソースであり、前記周波数ホッピングパターンが周波数領域リソース周波数ホッピングパターンであり、
前記ネットワーク装置が前記端末装置の周波数ホッピングパターンに基づき、前記複数の第二の時間領域リソースユニットで前記ＳＲＳを受信するためのターゲットリソースを確定することは、
前記ネットワーク装置は、前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを受信するための周波数領域リソースを確定することを含むことを特徴とする
請求項１４に記載の方法。
【請求項１７】
前記コードリソースはＳＲＳシーケンスを生成するためのルートシーケンス、及び／又はＳＲＳシーケンスを生成するためのサイクリックシフトであることを特徴とする
請求項１４に記載の方法。
【請求項１８】
前記ターゲットリソースがＳＲＳシーケンスを生成するためのルートシーケンスであり、前記周波数ホッピングパターンがシーケンス周波数ホッピングパターンであり、
前記ネットワーク装置が前記端末装置の周波数ホッピングパターンに基づき、前記複数の第二の時間領域リソースユニットで前記ＳＲＳを受信するためのターゲットリソースを確定することは、
前記ネットワーク装置は、前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのルートシーケンスを確定することを含むことを特徴とする
請求項１７に記載の方法。
【請求項１９】
前記ターゲットリソースがＳＲＳシーケンスを生成するためのサイクリックシフトであり、前記周波数ホッピングパターンがサイクリックシフト周波数ホッピングパターンであり、
前記ネットワーク装置が前記端末装置の周波数ホッピングパターンに基づき、前記複数の第二の時間領域リソースユニットで前記ＳＲＳを受信するためのターゲットリソースを確定することは、
前記ネットワーク装置は、前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのサイクリックシフトを確定することを含むことを特徴とする
請求項１７に記載の方法。
【請求項２０】
前記ネットワーク装置が前記ターゲットリソースに基づき、端末装置から送信された前記ＳＲＳを受信する前に、前記方法はさらに、
前記端末装置へダウンリンク制御情報（ＤＣＩ）を送信し、前記ＤＣＩが前記ＳＲＳを送信するように前記端末装置に指示することに用いられ、前記ＤＣＩに前記周波数ホッピングパターンの情報が含まれることを含むことを特徴とする
請求項１１−１９のいずれか一項に記載の方法。
【請求項２１】
端末装置であって、確定ユニットと送信ユニットとを備え、
前記確定ユニットは、第一の時間領域リソースユニットにおいて、前記端末装置のサウンディング基準信号（ＳＲＳ）を送信するための複数の第二の時間領域リソースユニットを確定するように構成され、
前記確定ユニットはさらに、前記端末装置の周波数ホッピングパターンに基づき、前記複数の第二の時間領域リソースユニットで前記ＳＲＳを送信するためのターゲットリソースを確定するように構成され、
前記送信ユニットは、前記確定ユニットによって確定された前記ターゲットリソースに基づき、ネットワーク装置へ前記ＳＲＳを送信するように構成される、前記端末装置。
【請求項２２】
前記第一の時間領域リソースユニットはスロット、ミニスロット又は直交周波数分割多重（ＯＦＤＭ）シンボルであることを特徴とする
請求項２１に記載の端末装置。
【請求項２３】
前記第二の時間領域リソースユニットは直交周波数分割多重（ＯＦＤＭ）シンボルであることを特徴とする
請求項２１又は２２に記載の端末装置。
【請求項２４】
前記ターゲットリソースは、周波数領域リソース及び／又はコードリソースであることを特徴とする
請求項２１−２３のいずれか一項に記載の端末装置。
【請求項２５】
前記ターゲットリソースが前記ＳＲＳを送信するための周波数領域リソースであり、前記周波数ホッピングパターンが周波数領域リソース周波数ホッピングパターンであり、前記確定ユニットは具体的に、
前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを送信するための周波数領域リソースの位置に基づいて、前記各第二の時間領域リソースユニットにおける前記ＳＲＳを送信するための周波数領域リソースを確定するように構成されることを特徴とする
請求項２４に記載の端末装置。
【請求項２６】
前記ターゲットリソースが前記ＳＲＳを送信するための周波数領域リソースであり、前記周波数ホッピングパターンが周波数領域リソース周波数ホッピングパターンであり、前記確定ユニットは具体的に、
前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを送信するための周波数領域リソースを確定するように構成されることを特徴とする
請求項２４に記載の端末装置。
【請求項２７】
前記コードリソースはＳＲＳシーケンスを生成するためのルートシーケンス、及び／又はＳＲＳシーケンスを生成するためのサイクリックシフトであることを特徴とする
請求項２４に記載の端末装置。
【請求項２８】
前記ターゲットリソースがＳＲＳシーケンスを生成するためのルートシーケンスであり、前記周波数ホッピングパターンがシーケンス周波数ホッピングパターンであり、前記確定ユニットは具体的に、
前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのルートシーケンスを確定するように構成されることを特徴とする
請求項２４に記載の端末装置。
【請求項２９】
前記ターゲットリソースがＳＲＳシーケンスを生成するためのサイクリックシフトであり、前記周波数ホッピングパターンがサイクリックシフト周波数ホッピングパターンであり、前記確定ユニットは具体的に、
前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのサイクリックシフトを確定するように構成されることを特徴とする
請求項２７に記載の端末装置。
【請求項３０】
前記端末装置はさらに送信ユニットを備え、前記送信ユニットが、
前記ターゲットリソースに基づき、ネットワーク装置へ前記ＳＲＳを送信する前に、前記ネットワーク装置から送信されたダウンリンク制御情報（ＤＣＩ）を受信するように構成され、前記ＤＣＩが前記ＳＲＳを送信するように前記端末装置に指示することに用いられ、前記ＤＣＩに前記周波数ホッピングパターンの情報が含まれることを特徴とする
請求項２１−２９のいずれか一項に記載の端末装置。
【請求項３１】
ネットワーク装置であって、確定ユニットと受信ユニットとを備え、
確定ユニットは、第一の時間領域リソースユニットにおいて、端末装置から送信されたサウンディング基準信号（ＳＲＳ）を受信するための複数の第二の時間領域リソースユニットを確定するように構成され、
前記確定ユニットはさらに、前記端末装置の周波数ホッピングパターンに基づき、前記複数の第二の時間領域リソースユニットで前記ＳＲＳを受信するためのターゲットリソースを確定するように構成され、
受信ユニットは、前記確定ユニットによって確定された前記ターゲットリソースに基づき、前記端末装置から送信された前記ＳＲＳを受信するように構成される、前記ネットワーク装置。
【請求項３２】
前記第一の時間領域リソースユニットはスロット、ミニスロット又は直交周波数分割多重（ＯＦＤＭ）シンボルであることを特徴とする
請求項３１に記載のネットワーク装置。
【請求項３３】
前記第二の時間領域リソースユニットは直交周波数分割多重（ＯＦＤＭ）シンボルであることを特徴とする
請求項３１又は３２に記載のネットワーク装置。
【請求項３４】
前記ターゲットリソースは、周波数領域リソース及び／又はコードリソースであることを特徴とする
請求項３１−３３のいずれか一項に記載のネットワーク装置。
【請求項３５】
前記ターゲットリソースが前記ＳＲＳを送信するための周波数領域リソースであり、前記周波数ホッピングパターンが周波数領域リソース周波数ホッピングパターンであり、前記確定ユニットは具体的に、
前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを受信するための周波数領域リソースの位置に基づいて、前記各第二の時間領域リソースユニットにおける前記ＳＲＳを受信するための周波数領域リソースを確定するように構成されることを特徴とする
請求項３４に記載のネットワーク装置。
【請求項３６】
前記ターゲットリソースが前記ＳＲＳを送信するための周波数領域リソースであり、前記周波数ホッピングパターンが周波数領域リソース周波数ホッピングパターンであり、前記確定ユニットは具体的に、
前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを受信するための周波数領域リソースを確定するように構成されることを特徴とする
請求項３４に記載のネットワーク装置。
【請求項３７】
前記コードリソースはＳＲＳシーケンスを生成するためのルートシーケンス、及び／又はＳＲＳシーケンスを生成するためのサイクリックシフトであることを特徴とする
請求項３４に記載のネットワーク装置。
【請求項３８】
前記ターゲットリソースがＳＲＳシーケンスを生成するためのルートシーケンスであり、前記周波数ホッピングパターンがシーケンス周波数ホッピングパターンであり、前記確定ユニットは具体的に、
前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのルートシーケンスを確定するように構成されることを特徴とする
請求項３７に記載のネットワーク装置。
【請求項３９】
前記ターゲットリソースがＳＲＳシーケンスを生成するためのサイクリックシフトであり、前記周波数ホッピングパターンがサイクリックシフト周波数ホッピングパターンであり、前記確定ユニットは具体的に、
前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのサイクリックシフトを確定するように構成されることを特徴とする
請求項３７に記載のネットワーク装置。
【請求項４０】
前記ネットワーク装置はさらに送信ユニットを備え、前記送信ユニットは、
前記ターゲットリソースに基づき、端末装置から送信された前記ＳＲＳを受信する前に、前記端末装置へダウンリンク制御情報（ＤＣＩ）を送信するように構成され、前記ＤＣＩが前記ＳＲＳを送信するように前記端末装置に指示することに用いられ、前記ＤＣＩに前記周波数ホッピングパターンの情報が含まれることを特徴とする
請求項３１−３９のいずれか一項に記載のネットワーク装置。
【発明の詳細な説明】
【技術分野】
【０００１】
本出願の実施例は、無線通信分野に関し、且つより具体的には、サウンディング基準信号伝送方法、端末装置とネットワーク装置に関する。
【背景技術】
【０００２】
長期進化型（Ｌｏｎｇ  Ｔｅｒｍ  Ｅｖｏｌｕｔｉｏｎ：「ＬＴＥ」と略称）システムでは、端末は、ネットワーク側によって上位層シグナリングでブロードキャストされたセルサウンディング基準信号（Ｓｏｕｎｄｉｎｇ  Ｒｅｆｅｒｅｎｃｅ  Ｓｉｇｎａｌ：「ＳＲＳ」と略称）サブフレームを受信することがあり、ＳＲＳがセルＳＲＳサブフレームのみで伝送される。端末はデータ伝送を行う時にセルＳＲＳサブフレームにおいて物理共有チャネル（Ｐｈｙｓｉｃａｌ  Ｕｐｌｉｎｋ  Ｓｈａｒｅｄ  Ｃｈａｎｎｅｌ：「ＰＵＳＣＨ」と略称）又は物理アップリンク制御チャネル（Ｐｈｙｓｉｃａｌ  Ｕｐｌｉｎｋ  Ｃｏｎｔｒｏｌ  Ｃｈａｎｎｅｌ：「ＰＵＣＣＨ」と略称）に対してレートマッチングを行う必要がある。セルＳＲＳサブフレームにおいて、端末がＰＵＣＣＨ又はＰＵＳＣＨを伝送する帯域幅とＳＲＳリソースを伝送する帯域幅で衝突する場合、端末は、切り捨てられたＰＵＣＣＨ又はＰＵＳＣＨを送信し、ＰＵＣＣＨ又はＰＵＳＣＨを送信するためのアップリンクサブフレームの最後の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）シンボルを、ＳＲＳを伝送するために予約することができる。
【０００３】
現在のＳＲＳ伝送は、周期的ＳＲＳと非周期的ＳＲＳの２種類に分けられる。周期的ＳＲＳは、ネットワーク側によって予め配置された周期的リソースにおいて一定周期で持続的に送信され、非周期的ＳＲＳはダウンリンク制御情報（Ｄｏｗｎｌｏａｄ  Ｃｏｎｔｒｏｌ  Ｉｎｆｏｒｍａｔｉｏｎ：「ＤＣＩ」と略称）によってトリガされ、端末はトリガシグナリングを受信した後に直後のＳＲＳリソースでＳＲＳを一回伝送し、非周期的ＳＲＳを伝送するためのＳＲＳリソースセットがネットワーク側によって上位層シグナリングで予め配置され、そして周期的ＳＲＳのリソースと独立して配置される。非周期的ＳＲＳの柔軟性が比較的に高いので、５Ｇシステムにおける非周期的ＳＲＳの応用シーンは周期的ＳＲＳの応用シーンよりはるかに大きい。
【０００４】
しかし、５Ｇシステムでは、一つのスロットにＳＲＳを伝送するための複数のＯＦＤＭシンボルがある可能性があり、異なる端末のそれぞれがＳＲＳを伝送するために、これらのＯＦＤＭシンボルから同じリソースを選択する場合、他の端末に大きな持続的干渉を引き起こす可能性がある。
【発明の概要】
【発明が解決しようとする課題】
【０００５】
本出願の実施例は異なる端末装置のＳＲＳ信号間の干渉を低減することができるＳＲＳ伝送方法、端末装置とネットワーク装置を提供する。
【課題を解決するための手段】
【０００６】
第一の態様によるＳＲＳ伝送方法は、端末装置が第一の時間領域リソースユニットにおいて、前記端末装置のサウンディング基準信号（ＳＲＳ）を送信するための複数の第二の時間領域リソースユニットを確定することと、前記端末装置が前記端末装置の周波数ホッピングパターンに基づき、前記複数の第二の時間領域リソースユニットで前記ＳＲＳを送信するためのターゲットリソースを確定することと、前記端末装置が前記ターゲットリソースに基づき、ネットワーク装置へ前記ＳＲＳを送信することとを含むことを特徴とする。
【０００７】
したがって、端末装置はそれ自身の専用の周波数ホッピングパターンにより、複数の時間領域リソースユニットでＳＲＳを送信するためのリソースを確定し、それによって複数の時間領域リソースユニットでＳＲＳを伝送する異なる端末装置間の干渉がランダム化され、異なる端末装置間のＳＲＳ信号の干渉が低減され、端末装置間の持続的な強い干渉も回避される。
【０００８】
選択可能に、第一の態様の一つの実施形態では、前記第一の時間領域リソースユニットはスロット、ミニスロット又は直交周波数分割多重（ＯＦＤＭ）シンボルである。
【０００９】
選択可能に、第一の態様の一つの実施形態では、前記第二の時間領域リソースユニットは直交周波数分割多重（ＯＦＤＭ）シンボルである。
【００１０】
具体的には、第一の時間領域リソースユニットに複数の第二の時間領域リソースユニットが含まれる。第二の時間領域リソースユニットの長さが第一の時間領域リソースの長さより小さい。例えば、第一の時間領域リソースユニットはサブフレームであり、第二の時間領域リソースユニットはＯＦＤＭシンボルである。又は、第一の時間領域リソースユニットはＯＦＤＭシンボルであり、第二の時間領域リソースユニットは長さが第一の時間領域リソースユニットの長さより小さいＯＦＤＭシンボルである。
【００１１】
例えば、第一の時間領域リソースユニットの長さは第一の時間領域リソースユニットにおけるデータを伝送するためのサブ搬送波間隔に基づいて確定されてもよく、第二の時間領域リソースユニットの長さは第一の時間領域リソースユニットにおけるＳＲＳを伝送するためのサブ搬送波間隔に基づいて確定されてもよい。
【００１２】
また、例えば、第一の時間領域リソースユニットはスロットであってもよく、第二の時間領域リソースユニットの長さは第一の時間領域リソースユニットにおけるデータを伝送するためのサブ搬送波間隔に基づいて確定される。
【００１３】
選択可能に、端末装置が第一の時間領域リソースユニットにおいて、端末装置のＳＲＳを送信するための複数の第二の時間領域リソースユニットを確定することは、端末装置がネットワーク装置から送信されたダウンリンク制御情報（ＤＣＩ）を受信し、該ＤＣＩが前記第一の時間領域リソースユニットにおける該ＳＲＳを送信するための複数の第二の時間領域リソースユニットを示すことに用いられることと、端末装置が該ＤＣＩに基づいて該複数の第二の時間領域リソースユニットを確定することとを含む。
【００１４】
当然、該複数の第二の時間領域リソースユニットの位置及び数などの情報は、端末装置とネットワーク装置によって予め定められ例えばプロトコールにおいて定められてもよい。
【００１５】
選択可能に、第一の態様の一つの実施形態では、前記ターゲットリソースは、周波数領域リソース及び／又はコードリソースである。
【００１６】
選択可能に、第一の態様の一つの実施形態では、前記ターゲットリソースが前記ＳＲＳを送信するための周波数領域リソースであり、前記周波数ホッピングパターンが周波数領域リソース周波数ホッピングパターンであり、前記端末装置が前記端末装置の周波数ホッピングパターンに基づき、前記複数の第二の時間領域リソースユニットで前記ＳＲＳを送信するためのターゲットリソースを確定することは、
前記端末装置が前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを送信するための周波数領域リソースの位置に基づいて、前記各第二の時間領域リソースユニットにおける前記ＳＲＳを送信するための周波数領域リソースを確定することを含む。
【００１７】
該周波数領域リソース周波数ホッピングパターンは例えばｆ（ｋ）＝ｍｏｄ［ｆ（０）＋ｋ×ｄ（ｉ）、Ｎ］であってもよく、ここで、ｆ（ｋ）が第一の時間領域リソースユニットのうちのインデックスがｋである第二の時間領域リソースユニットにおけるターゲットリソースの周波数領域開始位置であり、ｋが正整数であり、ｄ（ｉ）が、周波数ホッピングＩＤがｉである時に得られた周波数ホッピングパラメータであり、Ｎが許可された最大の周波数ホッピング開始位置の値である。
【００１８】
選択可能に、第一の態様の一つの実施形態では、前記ターゲットリソースが前記ＳＲＳを送信するための周波数領域リソースであり、前記周波数ホッピングパターンが周波数領域リソース周波数ホッピングパターンであり、前記端末装置が前記端末装置の周波数ホッピングパターンに基づき、前記複数の第二の時間領域リソースユニットで前記ＳＲＳを送信するためのターゲットリソースを確定することは、
前記端末装置が前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを送信するための周波数領域リソースを確定することを含む。
【００１９】
例えば、該周波数領域リソース周波数ホッピングパターンはｆ（ｋ）＝ｍｏｄ［ｇ（ｍ）＋ｋ×ｄ（ｉ）、Ｎ］であってもよく、ここで、ｆ（ｋ）が第一の時間領域リソースユニットのうちのインデックスがｋである第二の時間領域リソースユニットにおけるターゲットリソースの周波数領域開始位置であり、ｋが正整数であり、ｄ（ｉ）が、周波数ホッピングＩＤがｉである時に得られた周波数ホッピングパラメータであり、ｇ（ｍ）が第一の時間領域リソースユニットのインデックスｍに基づく周波数領域リソース位置の値であり、Ｎが許可された最大の周波数ホッピング開始位置の値である。
【００２０】
理解すべきものとして、ここで複数の第二の時間領域リソースユニットにおける異なる端末装置のＳＲＳを伝送するための周波数領域リソースが異なるが、異なる端末装置はそれぞれのＳＲＳを伝送する時に同じコード領域リソース、例えばそれぞれのＳＲＳシーケンスを生成するための同じルートシーケンス又はサイクリックシフトを用いることができる。
【００２１】
また、理解すべきものとして、複数の第二の時間領域リソースユニットにおける端末装置の初期周波数ホッピング位置、即ち複数の第二の時間領域リソースユニットのうちの１番目の第二の時間領域リソースユニットにおける該ＳＲＳを伝送するための周波数領域リソースの位置がネットワーク装置によって端末装置に送信されてもよく、例えばネットワーク装置が端末装置へ該初期周波数ホッピング位置の情報を含む上位層シグナリング又はＳＲＳ送信をトリガするためのＤＣＩを送信し、端末装置がネットワーク装置から送信された該上位層シグナリング又は該ＤＣＩを受信し、これにより、複数の第二の時間領域リソースユニットにおける初期周波数ホッピング位置を取得する。又は、端末装置は複数の第一の時間領域リソースユニット間の周波数ホッピングパターンによって複数の第二の時間領域リソースユニットにおける初期周波数ホッピング位置を確定することもでき、例えば複数の第一の時間周波数リソースユニット間の周波数ホッピングパターンが複数の第二の時間領域リソースユニット間の周波数ホッピングパターンと同じである。又は、端末装置はさらに第一の時間領域リソースユニットのインデックスに基づいて複数の第二の時間領域リソースユニットにおける初期周波数ホッピング位置を確定することができる。
【００２２】
選択可能に、第一の態様の一つの実施形態では、前記コードリソースはＳＲＳシーケンスを生成するためのルートシーケンス、及び／又はＳＲＳシーケンスを生成するためのサイクリックシフトである。
【００２３】
選択可能に、第一の態様の一つの実施形態では、前記ターゲットリソースがＳＲＳシーケンスを生成するためのルートシーケンスであり、前記周波数ホッピングパターンがシーケンス周波数ホッピングパターンであり、前記端末装置が前記端末装置の周波数ホッピングパターンに基づき、前記複数の第二の時間領域リソースユニットで前記ＳＲＳを送信するためのターゲットリソースを確定することは、
前記端末装置が前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのルートシーケンスを確定することを含む。
【００２４】
例えば、シーケンス周波数ホッピングパターンは予め設定された擬似ランダムシーケンスに基づいて取得されてもよく、インデックスがｋである第二の時間領域リソースユニットにおけるＳＲＳを伝送するためのＳＲＳシーケンスのルートシーケンスＩＤは、シーケンス周波数ホッピングパターンとインデックスｋに基づいて取得されてもよい。
【００２５】
選択可能に、第一の態様の一つの実施形態では、前記ターゲットリソースがＳＲＳシーケンスを生成するためのサイクリックシフトであり、前記周波数ホッピングパターンがサイクリックシフト周波数ホッピングパターンであり、前記端末装置が前記端末装置の周波数ホッピングパターンに基づき、前記複数の第二の時間領域リソースユニットで前記ＳＲＳを送信するためのターゲットリソースを確定することは、
前記端末装置が前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのサイクリックシフトを確定することを含む。
【００２６】
例えば、インデックスがｋである第二の時間領域リソースユニットにおけるＳＲＳを伝送するためのＳＲＳシーケンスのサイクリックシフトは、サイクリックシフト周波数ホッピングパターンとインデックスｋに基づいて取得されてもよい。
【００２７】
理解すべきものとして、ここで複数の第二の時間領域リソースユニットにおける異なる端末装置のＳＲＳを伝送するためのコードリソースが異なるが、異なる端末装置はそれぞれのＳＲＳを伝送する時に同じ周波数領域リソースを用いることができる。
【００２８】
選択可能に、第一の態様の一つの実施形態では、前記端末装置が前記ターゲットリソースに基づき、ネットワーク装置へ前記ＳＲＳを送信する前に、前記方法はさらに前記端末装置が前記ネットワーク装置から送信されたダウンリンク制御情報（ＤＣＩ）を受信し、前記ＤＣＩが前記ＳＲＳを送信するように前記端末装置に指示することに用いられ、前記ＤＣＩに前記周波数ホッピングパターンの情報が含まれることを含む。
【００２９】
選択可能に、該ターゲットリソースが時間周波数物理リソースであり、端末装置は確定されたターゲットリソースでデータチャネルに対して対応するレートマッチング又はパンチング処理を行うことができる。
【００３０】
選択可能に、該ターゲットリソースがコードリソースであり、端末装置は確定されたターゲットリソース即ち該コードリソースでリソース予約を行い、例えば対応するサイクリックシフトを予約することができる。
【００３１】
第二の態様によるＳＲＳ伝送方法は、ネットワーク装置が第一の時間領域リソースユニットにおいて、前記端末装置から送信されたサウンディング基準信号（ＳＲＳ）を受信するための複数の第二の時間領域リソースユニットを確定することと、前記ネットワーク装置が前記端末装置の周波数ホッピングパターンに基づき、前記複数の第二の時間領域リソースユニットで前記ＳＲＳを受信するためのターゲットリソースを確定することと、前記ネットワーク装置が前記ターゲットリソースに基づき、前記端末装置から送信された前記ＳＲＳを受信することとを含むことを特徴とする。
【００３２】
したがって、ネットワーク装置は端末装置の専用の周波数ホッピングパターンにより、ＳＲＳを受信するための複数の時間領域リソースユニットにおいて、該ＳＲＳを受信するためのリソースを確定し、それによって該複数の時間領域リソースユニットで受信された、異なる端末装置からのＳＲＳ信号の間の干渉がランダム化され、異なる端末装置間のＳＲＳ信号の干渉が低減され、端末装置間の持続的な強い干渉も回避される。
【００３３】
選択可能に、第二の態様の一つの実施形態では、前記第一の時間領域リソースユニットはスロット、ミニスロット又は直交周波数分割多重（ＯＦＤＭ）シンボルである。
【００３４】
選択可能に、第二の態様の一つの実施形態では、前記第二の時間領域リソースユニットは直交周波数分割多重（ＯＦＤＭ）シンボルである。
【００３５】
具体的には、第一の時間領域リソースユニットに複数の第二の時間領域リソースユニットが含まれる。第二の時間領域リソースユニットの長さが第一の時間領域リソースの長さより小さい。例えば、第一の時間領域リソースユニットはサブフレームであり、第二の時間領域リソースユニットはＯＦＤＭシンボルである。又は、第一の時間領域リソースユニットはＯＦＤＭシンボルであり、第二の時間領域リソースユニットは長さが第一の時間領域リソースユニットの長さより小さいＯＦＤＭシンボルである。
【００３６】
例えば、第一の時間領域リソースユニットの長さは第一の時間領域リソースユニットにおけるデータを伝送するためのサブ搬送波間隔に基づいて確定されてもよく、第二の時間領域リソースユニットの長さは第一の時間領域リソースユニットにおけるＳＲＳを伝送するためのサブ搬送波間隔に基づいて確定されてもよい。
【００３７】
また、例えば、第一の時間領域リソースユニットは一つのスロットであってもよく、第二の時間領域リソースユニットの長さは第一の時間領域リソースユニットにおけるデータを伝送するためのサブ搬送波間隔に基づいて確定されてもよい。
【００３８】
選択可能に、端末装置が第一の時間領域リソースユニットにおいて、端末装置のＳＲＳを送信するための複数の第二の時間領域リソースユニットを確定することは、端末装置がネットワーク装置から送信されたダウンリンク制御情報（ＤＣＩ）を受信し、該ＤＣＩが前記第一の時間領域リソースユニットにおける該ＳＲＳを送信するための複数の第二の時間領域リソースユニットを示すことに用いられることと、端末装置が該ＤＣＩに基づいて該複数の第二の時間領域リソースユニットを確定することとを含む。
【００３９】
当然、該複数の第二の時間領域リソースユニットの位置及び数などの情報は、端末装置とネットワーク装置によって予め定められ例えばプロトコールにおいて定められてもよい。
【００４０】
選択可能に、第二の態様の一つの実施形態では、前記ターゲットリソースは、周波数領域リソース及び／又はコードリソースである。
【００４１】
選択可能に、第二の態様の一つの実施形態では、前記ターゲットリソースが前記ＳＲＳを送信するための周波数領域リソースであり、前記周波数ホッピングパターンが周波数領域リソース周波数ホッピングパターンであり、前記ネットワーク装置が前記端末装置の周波数ホッピングパターンに基づき、前記複数の第二の時間領域リソースユニットで前記ＳＲＳを受信するためのターゲットリソースを確定することは、
前記ネットワーク装置が前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを受信するための周波数領域リソースの位置に基づいて、前記各第二の時間領域リソースユニットにおける前記ＳＲＳを受信するための周波数領域リソースを確定することを含む。
【００４２】
選択可能に、第二の態様の一つの実施形態では、前記ターゲットリソースが前記ＳＲＳを送信するための周波数領域リソースであり、前記周波数ホッピングパターンが周波数領域リソース周波数ホッピングパターンであり、前記ネットワーク装置が前記端末装置の周波数ホッピングパターンに基づき、前記複数の第二の時間領域リソースユニットで前記ＳＲＳを受信するためのターゲットリソースを確定することは、
前記ネットワーク装置が前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを受信するための周波数領域リソースを確定することを含む。
【００４３】
選択可能に、第二の態様の一つの実施形態では、前記コードリソースはＳＲＳシーケンスを生成するためのルートシーケンス、及び／又はＳＲＳシーケンスを生成するためのサイクリックシフトである。
【００４４】
選択可能に、第二の態様の一つの実施形態では、前記ターゲットリソースがＳＲＳシーケンスを生成するためのルートシーケンスであり、前記周波数ホッピングパターンがシーケンス周波数ホッピングパターンであり、前記ネットワーク装置が前記端末装置の周波数ホッピングパターンに基づき、前記複数の第二の時間領域リソースユニットで前記ＳＲＳを受信するためのターゲットリソースを確定することは、
前記ネットワーク装置が前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのルートシーケンスを確定することを含む。
【００４５】
選択可能に、第二の態様の一つの実施形態では、前記ターゲットリソースがＳＲＳシーケンスを生成するためのサイクリックシフトであり、前記周波数ホッピングパターンがサイクリックシフト周波数ホッピングパターンであり、前記ネットワーク装置が前記端末装置の周波数ホッピングパターンに基づき、前記複数の第二の時間領域リソースユニットで前記ＳＲＳを受信するためのターゲットリソースを確定することは、
前記ネットワーク装置が前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのサイクリックシフトを確定することを含む。
【００４６】
選択可能に、第二の態様の一つの実施形態では、前記ネットワーク装置が前記ターゲットリソースに基づき、端末装置から送信された前記ＳＲＳを受信する前に、前記方法はさらに前記端末装置へダウンリンク制御情報（ＤＣＩ）を送信し、前記ＤＣＩが前記ＳＲＳを送信するように前記端末装置に指示することに用いられ、前記ＤＣＩに前記周波数ホッピングパターンの情報が含まれることを含む。
【００４７】
具体的には、ネットワーク装置はＳＲＳを送信するように端末装置に指示する時に、さらに端末装置へ指示情報を同時に送信して該端末装置の周波数ホッピングパターンを示すことができる。例えば、ネットワーク装置は該端末装置へＳＲＳをトリガするためのＤＣＩを送信することができ、該ＤＣＩに周波数ホッピングパターンＩＤ（又はＳＲＳ  ＩＤと呼ばれる）が含まれてもよく、端末装置は該ＤＣＩを受信した後、該周波数ホッピングパターンＩＤに応じてそれ自身の周波数ホッピングパターンを確定することができる。
【００４８】
理解すべきものとして、該複数の第二の時間領域リソースユニットの位置及び数などの情報は、端末装置とネットワーク装置によって予め定められ例えばプロトコールにおいて定められてもよい。
【００４９】
第三の態様による端末装置は、上記第一の態様又は第一の態様のいずれかの選択可能な実施形態における端末装置の操作を実行することができる。具体的には、該端末装置は、上記第一の態様又は第一の態様のいずれかの可能な実施形態における端末装置の操作を実行するためのモジュールユニットを備えることができる。
【００５０】
第四の態様によるネットワーク装置は、上記第二の態様又は第二の態様のいずれかの選択可能な実施形態におけるネットワーク装置の操作を実行することができる。具体的には、該ネットワーク装置は、上記第二の態様又は第二の態様のいずれかの可能な実施形態におけるネットワーク装置の操作を実行するためのモジュールユニットを備えることができる。
【００５１】
第五の態様による端末装置は、プロセッサ、送受信機とメモリを備える。ここで、該プロセッサ、送受信機とメモリは内部接続パスを介して相互に通信する。該メモリが命令を記憶するように構成され、該プロセッサが該メモリに記憶された命令を実行するように構成される。該プロセッサが該メモリに記憶された命令を実行する場合、該実行により該端末装置は第一の態様又は第一の態様の任意の可能な実施形態における方法を実行し、又は該実行により該端末装置は第三の態様による端末装置を実現する。
【００５２】
第六の態様によるネットワーク装置は、プロセッサ、送受信機とメモリを備える。ここで、該プロセッサ、送受信機とメモリは内部接続パスを介して相互に通信する。該メモリが命令を記憶するように構成され、該プロセッサが該メモリに記憶された命令を実行するように構成される。該プロセッサが該メモリに記憶された命令を実行する場合、該実行により該ネットワーク装置は第二の態様又は第二の態様の任意の可能な実施形態における方法を実行し、又は該実行により該ネットワーク装置は第四の態様によるネットワーク装置を実現する。
【００５３】
第七の態様によるコンピュータ可読記憶媒体は、ネットワーク装置に上記第一の態様及びその様々な実施形態のいずれかのＳＲＳ伝送方法を実行させるためのプログラムを記憶する。
【００５４】
第八の態様によるコンピュータ可読記憶媒体は、ネットワーク装置に上記第二の態様及びその様々な実施形態のいずれかのＳＲＳ伝送方法を実行させるためのプログラムを記憶する。
【００５５】
第九の態様によるシステムチップは、入力インタフェース、出力インタフェース、プロセッサとメモリを備え、該プロセッサが該メモリに記憶された命令を実行するように構成され、該命令が実行される場合、該プロセッサが前記第一の態様及びその様々な実施形態におけるいずれかの方法を実現することができる。
【００５６】
第十の態様によるシステムチップは、入力インタフェース、出力インタフェース、プロセッサとメモリを備え、該プロセッサが該メモリに記憶された命令を実行するように構成され、該命令が実行される場合、該プロセッサが前記第二の態様及びその様々な実施形態におけるいずれかの方法を実現することができる。
【発明の効果】
【００５７】
本出願の実施例の技術的解決策に基づき、端末装置はそれ自身の専用の周波数ホッピングパターンにより、ＳＲＳを伝送するための複数の時間領域リソースユニットにおいて、該ＳＲＳを伝送するためのリソースを確定し、それによって複数の時間領域リソースユニットでＳＲＳを伝送する異なる端末装置間の干渉がランダム化され、異なる端末装置間のＳＲＳ信号の干渉が低減され、端末装置間の持続的な強い干渉も回避される。
【図面の簡単な説明】
【００５８】
【図１】本出願の実施例の一つの応用シーンを示す概略アーキテクチャ図である。
【図２】本出願の実施例によるＳＲＳ伝送方法の概略フローチャートである。
【図３】本出願の実施例の周波数ホッピングパターンの概略図である。
【図４】本出願の実施例によるＳＲＳ伝送方法の概略フローチャートである。
【図５】本出願の実施例による端末装置の概略ブロック図である。
【図６】本出願の実施例によるネットワーク装置の概略ブロック図である。
【図７】本出願の実施例による端末装置の概略構造図である。
【図８】本出願の実施例によるネットワーク装置の概略構造図である。
【図９】本出願の実施例によるシステムチップの概略構造図である。
【発明を実施するための形態】
【００５９】
以下に図面と組み合わせながら本出願の実施例における技術的解決策を説明する。
【００６０】
理解すべきものとして、本出願の実施例の技術的解決策は様々な通信システム、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、及び将来の５Ｇ通信システムなどに応用されてもよい。
【００６１】
本出願は端末装置と組み合わせて各実施例を説明する。端末装置はユーザ装置（Ｕｓｅｒ  Ｅｑｕｉｐｍｅｎｔ：「ＵＥ」と略称）、アクセス端末、加入者ユニット、加入者局、移動局、移動ステーション、遠隔局、遠隔端末、移動装置、ユーザ端末、端末、無線通信装置、ユーザエージェント又はユーザ装置を指すこともできる。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、無線ローカルループ（Ｗｉｒｅｌｅｓｓ  Ｌｏｃａｌ  Ｌｏｏｐ：「ＷＬＬ」と略称）サイト、パーソナルデジタル処理（Ｐｅｒｓｏｎａｌ  Ｄｉｇｉｔａｌ  Ａｓｓｉｓｔａｎｔ：「ＰＤＡ」と略称）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００６２】
本出願はネットワーク装置と組み合わせて各実施例を説明する。ネットワーク装置は端末装置と通信するための装置であってもよく、例えばＧＳＭシステム又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）であってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク側装置などであってもよい。
【００６３】
図１は出願の実施例の一つの応用シーンを示す概略図である。図１における通信システムはネットワーク装置１０、端末装置２０と端末装置３０を備えることができる。ネットワーク装置１０は端末装置２０と端末装置３０に通信サービスを提供することに用いられ且つコアネットワークにアクセスし、端末装置２０と端末装置３０はネットワーク装置１０から送信された同期信号、ブロードキャスト信号などを検索してネットワークにアクセスし、それによってネットワークとの通信を行うことができる。図１に示す矢印は端末装置２０及び端末装置３０とネットワーク装置１０の間のセルラーリンクによるアップリンク／ダウンリンク送信を表すことができる。
【００６４】
本出願の実施例におけるネットワークは公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）又はデバイスツデバイス（Ｄｅｖｉｃｅ  ｔｏ  Ｄｅｖｉｃｅ：「Ｄ２Ｄ」と略称）ネットワーク装置又はマシンツマシン／マン（Ｍａｃｈｉｎｅ  ｔｏ  Ｍａｃｈｉｎｅ／Ｍａｎ：「Ｍ２Ｍ」と略称）ネットワーク又は他のネットワークを指すことができ、図１は例の概略図であるだけであるが、ネットワークにおいて他の端末装置が含まれてもよく、図１に示されない。
【００６５】
図２は本出願の実施例によるＳＲＳ伝送方法２００の概略フローチャートである。該方法２００は端末装置によって実行されてもよい。図２に示すように、ＳＲＳを伝送する具体的なプロセスは以下を含む。
【００６６】
２１０において、端末装置は第一の時間領域リソースユニットにおいて端末装置のサウンディング基準信号（ＳＲＳ）を送信するための複数の第二の時間領域リソースユニットを確定する。
【００６７】
ここで、選択可能に、該第一の時間領域リソースユニットはスロット、ミニスロット又は直交周波数分割多重（ＯＦＤＭ）シンボルであってもよい。又は、該第一の時間領域リソースユニットはさらにサブフレームなどの他の時間領域リソースユニットであってもよい。
【００６８】
選択可能に、該第二の時間領域リソースユニットはＯＦＤＭシンボルなどの時間領域リソースユニットであってもよい。第二の時間領域リソースユニットの長さは第一の時間領域リソースユニットにおけるデータを伝送するためのサブ搬送波間隔で計算されてもよいし、第一の時間領域リソースユニットにおけるＳＲＳを伝送するためのサブ搬送波間隔で計算されてもよい。５Ｇシステムでは複数サブ搬送波間隔がサポートされ、データを伝送するためのサブ搬送波間隔がＳＲＳを伝送するためのサブ搬送波間隔と異なってもよい。
【００６９】
例えば、第一の時間領域リソースユニットの長さは第一の時間領域リソースユニットにおけるデータを伝送するためのサブ搬送波間隔に基づいて確定されてもよく、第二の時間領域リソースユニットの長さは第一の時間領域リソースユニットにおけるＳＲＳを伝送するためのサブ搬送波間隔に基づいて確定されてもよい。
【００７０】
具体的には、第一の時間領域リソースユニットに複数の第二の時間領域リソースユニットが含まれる。第二の時間領域リソースユニットの長さが第一の時間領域リソースの長さより小さい。例えば、第一の時間領域リソースユニットはサブフレームであり、第二の時間領域リソースユニットはＯＦＤＭシンボルである。又は、第一の時間領域リソースユニットは、前記第一の時間領域リソースユニットにおけるデータを伝送するためのサブ搬送波間隔に基づいて確定されたＯＦＤＭシンボルであり、第二の時間領域リソースユニットは、第一の時間領域リソースユニットにおけるＳＲＳを伝送するためのサブ搬送波間隔に基づいて確定されたＯＦＤＭシンボルである。
【００７１】
また、例えば、第一の時間領域リソースユニットは一つのスロットであってもよく、第二の時間領域リソースユニットの長さは第一の時間領域リソースユニットにおけるデータを伝送するためのサブ搬送波間隔に基づいて確定される。
【００７２】
選択可能に、端末装置が第一の時間領域リソースユニットにおいて、端末装置のＳＲＳを送信するための複数の第二の時間領域リソースユニットを確定することは、端末装置がネットワーク装置から送信されたダウンリンク制御情報（ＤＣＩ）を受信し、該ＤＣＩが前記第一の時間領域リソースユニットにおける該ＳＲＳを送信するための複数の第二の時間領域リソースユニットを示すことに用いられることを含む。
【００７３】
理解すべきものとして、該複数の第二の時間領域リソースユニットの位置及び数などの情報は、ネットワーク装置によって配置されてもよく、例えば前記ＤＣＩによって端末に示され、端末装置とネットワーク装置によって予め定められ例えばプロトコールにおいて定められてもよい。
【００７４】
２２０において、端末装置は該端末装置の周波数ホッピングパターンに基づき、複数の第二の時間領域リソースユニットで該ＳＲＳを送信するためのターゲットリソースを確定する。
【００７５】
具体的には、端末装置は、それ自身に属する周波数ホッピング（ｈｏｐｐｉｎｇ）パターンを取得し、該周波数ホッピングパターンに基づいて該複数の第二の時間領域リソースユニットにおいて、それ自身のＳＲＳを送信するためのターゲットリソースを確定する。該周波数ホッピングパターンは端末装置が複数の第二の時間領域リソースユニットで該ＳＲＳを伝送するためのターゲットリソースを確定する時に使用できる周波数ホッピング（ｈｏｐｐｉｎｇ）方式を示す。
【００７６】
端末装置の周波数ホッピングパターンはネットワーク装置によって確定され且つ端末装置に示されてもよいし、端末装置とネットワーク装置によって予め定められてもよい。
【００７７】
選択可能に、端末装置が該端末装置の周波数ホッピングパターンに基づき、該複数の第二の時間領域リソースユニットにおける該ＳＲＳを伝送するためのターゲットリソースを確定する前に、該方法はさらに、端末装置がネットワーク装置から送信されたＤＣＩを受信し、該ＤＣＩが該ＳＲＳを送信するように端末装置に指示することを含む。さらに、該ＤＣＩに端末装置の周波数ホッピングパターンが含まれてもよい。
【００７８】
例えば、ネットワーク装置は端末装置へＤＣＩを送信することができ、該ＤＣＩが該端末装置のＳＲＳと該端末装置の周波数ホッピングＩＤ（又はＳＲＳ  ＩＤと呼ばれる）を送信するように端末装置に指示することに用いられ、端末装置は該ＤＣＩを受信した後、該周波数ホッピングＩＤに応じてそれ自身の周波数ホッピングパターンを確定することができる。
【００７９】
選択可能に、該ターゲットリソースは、周波数領域リソース及び／又はコードリソースである。
【００８０】
該ターゲットリソースが周波数領域リソースである場合、該端末装置は、ターゲットリソースのための該周波数ホッピングパターンが周波数領域リソース周波数ホッピングパターンであることを確定する。該周波数領域リソース周波数ホッピングパターンは端末装置が複数の第二の時間領域リソースユニットで該ＳＲＳを伝送するための周波数領域リソースを確定する時に使用できる周波数ホッピング方式を示す。
【００８１】
該ターゲットリソースがコードリソースである場合、該端末装置は、ターゲットリソースのための該周波数ホッピングパターンがシーケンス周波数ホッピングパターン又はサイクリックシフト周波数ホッピングパターンであってもよいことを確定する。該シーケンス周波数ホッピングパターンは端末装置が複数の第二の時間領域リソースユニットで該ＳＲＳを伝送するためのＳＲＳシーケンスのルートシーケンスを確定する時に使用できるシーケンス周波数ホッピング方式を示す。該サイクリックシフト周波数ホッピングパターンは端末装置が複数の第二の時間領域リソースユニットで該ＳＲＳを伝送するためのＳＲＳシーケンスのサイクリックシフトを確定する時に使用できるサイクリックシフト周波数ホッピング方式を示す。
【００８２】
以下に、ターゲットリソースが周波数領域リソース又はコードリソースであるという２つの状況について、端末装置がどのように該複数の第二の時間領域リソースユニットにおける該ＳＲＳを伝送するためのターゲットリソースを確定するかを詳細に説明する。
【００８３】
状況１  ターゲットリソースが周波数領域リソースである
選択可能に、該ターゲットリソースが該ＳＲＳを伝送するための周波数領域リソースを含み、該周波数ホッピングパターンが周波数領域リソース周波数ホッピングパターンであり、ここで、端末装置が該端末装置の周波数ホッピングパターンに基づき、複数の第二の時間領域リソースユニットで前記ＳＲＳを送信するためのターゲットリソースを確定することは、
端末装置が前記周波数領域リソース周波数ホッピングパターンに基づき、該複数の第二の時間領域リソースユニットのうちの各第二の時間領域リソースユニットのインデックス、及び該複数の第二の時間領域リソースのうちの１番目の第二の時間領域リソースユニットにおける該ＳＲＳを送信するための周波数領域リソースの位置に基づいて、該各第二の時間領域リソースユニットにおける該ＳＲＳを送信するための周波数領域リソースを確定することを含む。
【００８４】
具体的には、端末装置の周波数ホッピングパターンは各第二の時間領域リソースユニットにおける該ＳＲＳを送信するための周波数領域リソースの位置、及び各第二の時間領域リソースユニットのインデックスと１番目の第二の時間領域リソースユニットにおける該ＳＲＳを送信するための周波数領域リソースの位置との関係を示す。端末装置は、該周波数領域リソース周波数ホッピングパターンに基づき、順次複数の第二の時間領域リソースユニットのうちの各第二の時間領域リソースユニットのインデックス、及び複数の第二の時間領域リソースのうちの１番目の第二の時間領域リソースユニットにおける該ＳＲＳを送信するための周波数領域リソースの位置（即ち複数の第二の時間領域リソースユニットにおける端末装置の初期周波数ホッピング位置）に応じて、各第二の時間領域リソースユニットにおける該ＳＲＳを伝送するための周波数領域リソースの位置を確定し、それによって複数の第二の時間領域リソースユニットにおける該ターゲットリソース即ち該ＳＲＳを伝送するための周波数領域リソースを順次取得する。
【００８５】
本出願の実施例では、周波数領域リソースが一般的に物理リソースブロック（Ｐｈｙｓｉｃａｌ  Ｒｅｓｏｕｒｃｅ  Ｂｌｏｃｋ：「ＰＲＢ」と略称）を単位とし、周波数領域リソースの位置がＰＲＢインデックスで表され、周波数領域リソースのサイズがＰＲＢ数で表される。
【００８６】
例えば、第一の時間領域リソースユニットがスロットであり、第二の時間領域リソースユニットがＯＦＤＭであると仮定する。端末装置はネットワーク装置から受信された無線リソース制御（Ｒａｄｉｏ  Ｒｅｓｏｕｒｃｅ  Ｃｏｎｔｒｏｌ：「ＲＲＣ」と略称）シグナリングに応じて、現在のスロットにおけるＳＲＳを送信するためのＯＦＤＭシンボルの数Ｍを確定することができ、該ＳＲＳが該スロットの最後のＭつのＯＦＤＭシンボルで伝送されてもよい。端末装置は該スロットのスロットインデックスに基づいて、このＭつのＯＦＤＭシンボルにおける１番目のＯＦＤＭシンボルのうちのＳＲＳを伝送するための周波数領域開始位置を確定する。端末装置はネットワーク装置によって上位層シグナリングで示される周波数ホッピングパターンＩＤに応じて、それ自身に属する周波数領域リソース周波数ホッピングパターンを確定する。端末装置は該１番目のＯＦＤＭシンボルにおけるＳＲＳを伝送するための周波数領域開始位置、及び該周波数領域リソース周波数ホッピングパターンに基づき、ＭつのＯＦＤＭシンボルにおける各ＯＦＤＭシンボルにおけるＳＲＳを伝送するための周波数領域リソースの開始位置を確定する。端末装置は該各ＯＦＤＭシンボルにおける周波数領域リソース開始位置と予め設定された、ＳＲＳを伝送するための伝送帯域幅に基づき、各ＯＦＤＭシンボルにおけるＳＲＳを伝送するための周波数領域リソースを確定する。最後、端末装置は確定されたＯＦＤＭシンボルにおける該周波数領域リソースで該ＳＲＳを伝送する。
【００８７】
該周波数領域リソース周波数ホッピングパターンは例えばｆ（ｋ）＝ｍｏｄ［ｆ（０）＋ｋ×ｄ（ｉ）、Ｎ］であってもよく、ここで、ｆ（ｋ）が第一の時間領域リソースユニットのうちのインデックスがｋに等しい第二の時間領域リソースユニットにおけるＳＲＳを伝送するための周波数領域リソースの開始位置（一般的に該第二の時間領域リソースユニットにおけるＳＲＳを伝送するための開始ＰＲＢのＰＲＢインデックスとして表される）であり、ｋが正整数であり、ｄ（ｉ）が周波数ホッピングＩＤがｉである時に得られた周波数ホッピングパラメータであり、Ｎが許可された最大の周波数領域リソース開始位置の値である。
【００８８】
例えば図３に示す周波数ホッピングＩＤがｉである時に得られた周波数ホッピングパラメータにおいて、第一の時間領域リソースユニットはスロットであり、第二の時間領域リソースユニットはＯＦＤＭシンボルであり、該スロットにおける最後の３つのシンボルがＳＲＳを伝送することに用いられ、予め設定された、各シンボルにおけるＳＲＳを伝送するための伝送帯域幅が８つのＰＲＢに等しい。現在２つの端末装置例えば図１に示す端末装置２０と端末装置３０がある場合、この３つのシンボルでそれぞれのＳＲＳを伝送する。
【００８９】
端末装置２０に対して、ｆ（０）＝２４（即ちこの３つのＯＦＤＭシンボルのうちの１番目のシンボルにおけるＳＲＳを伝送するためのＰＲＢのＰＲＢインデックスが２４である）、ｄ（ｉ）＝４、Ｎ＝１００と仮定される場合、端末装置２０の周波数領域リソース周波数ホッピングパターンは、ｆ（ｋ）＝ｍｏｄ（２４＋４×ｋ、１００）であり、ｋが正整数である。ｆ（０）＝２４であるため、複数の第二の時間領域リソースユニットにおけるシンボルインデックスが０であるシンボルにおけるＳＲＳを伝送するための周波数領域リソースの開始位置は、インデックスが２４であるＰＲＢであり、シンボルインデックスが１であるシンボルにおけるＳＲＳを伝送するための周波数領域リソースの開始位置はインデックスが２８であるＰＲＢであり、シンボルインデックスが２であるシンボルにおけるＳＲＳを伝送するための周波数領域リソースの開始位置はインデックスが３２であるＰＲＢである。
【００９０】
端末装置３０に対して、ｆ（０）＝４０、ｄ（ｉ）＝１２、Ｎ＝１００と仮定される場合、端末装置３０の周波数領域リソース周波数ホッピングパターンは、ｆ（ｋ）＝ｍｏｄ（４０＋１２×ｋ、１００）であり、ｋが正整数である。ｆ（０）＝４０であるため、複数の第二の時間領域リソースユニットにおけるシンボルインデックスが０であるシンボルにおけるＳＲＳを伝送するための周波数領域リソースの開始位置は、インデックスが４０であるＰＲＢであり、シンボルインデックスが１であるシンボルにおけるＳＲＳを伝送するための周波数領域リソースの開始位置はインデックスが５２であるＰＲＢであり、シンボルインデックスが２であるシンボルにおけるＳＲＳを伝送するための周波数領域リソースの開始位置はインデックスが６４であるＰＲＢである。
【００９１】
これから分かるように、端末装置２０と端末装置３０ともに、第一の時間領域リソースにおける複数の第二の時間領域リソースユニットでそれら自身のＳＲＳを伝送するが、２つの端末装置によって用いられる周波数ホッピングＩＤ、初期周波数ホッピング位置、許容された最大の周波数領域開始位置の値などのパラメータが完全に同じではないため、端末装置２０の周波数ホッピングパターンと端末装置３０の周波数ホッピングパターンが異なり、それによってＳＲＳを伝送するための複数の第二の時間領域リソースユニットで用いられる周波数領域リソース即ちターゲットリソースも異なる。
【００９２】
したがって、端末装置同士の専用の周波数ホッピングパターンにより、ＳＲＳを送信するプロセスにおける端末装置の干渉がランダム化され、異なる端末装置間のＳＲＳ信号の干渉が低減され、端末装置間の持続的な強い干渉も回避される。
【００９３】
選択可能に、該ターゲットリソースが該ＳＲＳを伝送するための周波数領域リソースを含み、該周波数ホッピングパターンが周波数領域リソース周波数ホッピングパターンであり、ここで、端末装置が該端末装置の周波数ホッピングパターンに基づき、複数の第二の時間領域リソースユニットで前記ＳＲＳを送信するためのターゲットリソースを確定することは、
端末装置が該周波数領域リソース周波数ホッピングパターンに基づき、該複数の第二の時間領域リソースユニットのうちの各第二の時間領域リソースユニットのインデックス及び第一の時間領域リソースユニットのインデックスに基づいて、各第二の時間領域リソースユニットにおける該ＳＲＳを送信するための周波数領域リソースを確定することを含む。
【００９４】
具体的には、端末装置の周波数ホッピングパターンは各第二の時間領域リソースユニットにおける該ＳＲＳを送信するための周波数領域リソースの位置、及び各第二の時間領域リソースユニットのインデックスと第一の時間領域リソースユニットのインデックスとの関係を示す。端末装置は該周波数領域リソース周波数ホッピングパターンに基づき、順次複数の第二の時間領域リソースユニットのうちの各第二の時間領域リソースユニットのインデックス及び第一の時間領域リソースユニットのインデックスに基づいて、各第二の時間領域リソースユニットにおける該ＳＲＳを伝送するための周波数領域リソースの位置を確定し、それによって複数の第二の時間領域リソースユニットにおける該ターゲットリソース即ち該ＳＲＳを送信するための周波数領域リソースを順次取得する。
【００９５】
例えば、該周波数領域リソース周波数ホッピングパターンはｆ（ｋ）＝ｍｏｄ［ｇ（ｍ）＋ｋ×ｄ（ｉ）、Ｎ］であってもよく、ここで、ｆ（ｋ）が第一の時間領域リソースユニットのうちのインデックスがｋである第二の時間領域リソースユニットにおけるターゲットリソースの周波数領域開始位置であり、ｋが正整数であり、ｄ（ｉ）が、周波数ホッピングＩＤがｉである時に得られた周波数ホッピングパラメータであり、ｇ（ｍ）が第一の時間領域リソースユニットのインデックスｍに基づく周波数領域リソース位置の値であり、Ｎが許可された最大の周波数領域リソース開始位置の値である。
【００９６】
状況１において、異なる端末装置によって確定された、この複数の第二の時間領域リソースユニットでＳＲＳを伝送するための周波数領域リソースが異なるが、異なる端末装置はそれぞれのＳＲＳを伝送する時に同じコード領域リソースを用い、例えばそれぞれのＳＲＳシーケンスを生成するための同じルートシーケンス又はサイクリックシフトを用いることができる。
【００９７】
理解すべきものとして、複数の第二の時間領域リソースユニットにおける端末装置の初期周波数ホッピング位置、即ち複数の第二の時間領域リソースユニットのうちの１番目の第二の時間領域リソースユニットにおける該ＳＲＳを伝送するための周波数領域リソースの位置がネットワーク装置によって端末装置に送信されてもよく、例えばネットワーク装置が端末装置へ該初期周波数ホッピング位置の情報を含む上位層シグナリング又はＳＲＳ送信をトリガするためのＤＣＩを送信し、端末装置がネットワーク装置から送信された該上位層シグナリング又は該ＤＣＩを受信し、これにより、複数の第二の時間領域リソースユニットにおける初期周波数ホッピング位置を取得する。
【００９８】
又は、端末装置は複数の第一の時間領域リソースユニット間の周波数ホッピングパターンにより、複数の第二の時間領域リソースユニットにおける初期周波数ホッピング位置を確定することもできる。例えば、第一の時間領域リソースユニットがスロットであり、複数の第二の時間領域リソースユニットが一つのスロットの最後の３つのＯＦＤＭシンボルであり、複数のスロット間の周波数ホッピングパターンが予め定められた周波数ホッピングパターンであってもよく、該周波数ホッピングパターンが各スロットの最後の３番目のシンボル（即ち最後の３つのシンボルのうちの１番目のシンボル）におけるＳＲＳを伝送するための周波数領域リソース位置を示し、端末装置は、該周波数ホッピングパターンに基づいて複数の第二の時間領域リソースユニットにおける初期周波数ホッピング位置を直接確定することができる。
【００９９】
又は、端末装置はさらに第一の時間領域リソースユニットのインデックスに基づいて複数の第二の時間領域リソースユニットにおける初期周波数ホッピング位置を確定することができる。
【０１００】
状況２ターゲットリソースがコードリソースである
ここで、選択可能に、該コードリソースはＳＲＳシーケンスを生成するためのルートシーケンス、及び／又はＳＲＳシーケンスを生成するためのサイクリックシフトである。
【０１０１】
選択可能に、該ターゲットリソースがＳＲＳシーケンスを生成するためのルートシーケンスであり、該周波数ホッピングパターンがシーケンス周波数ホッピングパターンであり、ここで、端末装置が前記端末装置の周波数ホッピングパターンに基づき、該複数の第二の時間領域リソースユニットで該ＳＲＳを送信するためのターゲットリソースを確定することは、
端末装置は該シーケンス周波数ホッピングパターンに基づき、複数の第二の時間領域リソースユニットのうちの各第二の時間領域リソースユニットのインデックスに基づいて、各第二の時間領域リソースユニットにおける該ＳＲＳを送信するためのＳＲＳシーケンスのルートシーケンスを確定することを含む。
【０１０２】
具体的には、端末装置の周波数ホッピングパターンは各第二の時間領域リソースユニットにおける該ＳＲＳを送信するためのＳＲＳシーケンスのルートシーケンスと各第二の時間領域リソースユニットのインデックスとの関係を示す。端末装置は該シーケンス周波数ホッピングパターンに基づき、順次複数の第二の時間領域リソースユニットのうちの各第二の時間領域リソースユニットのインデックスに基づいて、各第二の時間領域リソースユニットにおける該ＳＲＳを伝送するためのＳＲＳシーケンスのルートシーケンスを確定し、それによって複数の第二の時間領域リソースユニットにおける該ＳＲＳを伝送するためのＳＲＳシーケンスのルートシーケンスを順次取得する。
【０１０３】
例えば、シーケンス周波数ホッピングパターンは予め設定された擬似ランダムシーケンスに基づいて取得されてもよく、インデックスがｋである第二の時間領域リソースユニットにおけるＳＲＳを伝送するためのＳＲＳシーケンスのルートシーケンスＩＤは、シーケンス周波数ホッピングパターンとインデックスｋに基づいて取得されてもよい。例えば、インデックスがｋである第二の時間領域リソースユニットにおけるＳＲＳを伝送するためのＳＲＳシーケンスのルートシーケンスＩＤは、ｆ（ｋ）、即ちｋに関連する変数に等しくてもよい。
【０１０４】
例えば、第一の時間領域リソースユニットが第一のＯＦＤＭシンボルであり、第二の時間領域リソースユニットが第二のＯＦＤＭシンボルであり、第二のＯＦＤＭシンボルの長さが第一のＯＦＤＭシンボルの長さより小さいと仮定する。端末装置は受信されたＤＣＩに基づいて現在のスロットにおける非周期的ＳＲＳを送信するための第一のＯＦＤＭシンボルのインデックスＫを確定する。端末装置は、ＳＲＳ伝送に用いられるサブ搬送波間隔に基づき、インデックスがＫである該第一のＯＦＤＭシンボルに含まれるＳＲＳを伝送するための第二のＯＦＤＭシンボルの数Ｍを確定する。例えば、現在のスロットの基準サブ搬送波間隔が１５ｋＨｚであり、該非周期的ＳＲＳ伝送に用いられるサブ搬送波間隔が６０ｋＨｚである場合、第一のＯＦＤＭシンボルは、ＳＲＳを伝送するための４つの第二のＯＦＤＭシンボルを含むことができ、即ちＭ＝４である。端末装置は、予め設定された周波数ホッピングＩＤに応じてシーケンス初期化を行い、擬似ランダムシーケンスに基づいてシーケンス周波数ホッピングパターンを生成する。端末装置は、該シーケンス周波数ホッピングパターン、及び該第一のＯＦＤＭシンボルにおけるＳＲＳを伝送するための各第二のＯＦＤＭシンボルのインデックスに基づいて、各第二のＯＦＤＭシンボルにおけるＳＲＳを伝送するためのシーケンスのルートシーケンスＩＤを確定する。端末装置は各第二のＯＦＤＭシンボルにおけるＳＲＳを伝送するためのルートシーケンスＩＤに応じて各第二のＯＦＤＭシンボルのＳＲＳシーケンスを生成する。端末装置はネットワーク装置に配置されたリソースで、該ＳＲＳシーケンスに基づいて生成されたＳＲＳ信号を送信する。
【０１０５】
選択可能に、該ターゲットリソースがＳＲＳシーケンスを生成するためのサイクリックシフトであり、該周波数ホッピングパターンがサイクリックシフト周波数ホッピングパターンであり、ここで、端末装置が該端末装置の周波数ホッピングパターンに基づき、該複数の第二の時間領域リソースユニットで該ＳＲＳを送信するためのターゲットリソースを確定することは、
端末装置が該サイクリックシフト周波数ホッピングパターンに基づき、該複数の第二の時間領域リソースユニットのうちの各第二の時間領域リソースユニットのインデックスに基づいて、各第二の時間領域リソースユニットにおける該ＳＲＳを送信するためのＳＲＳシーケンスのサイクリックシフトを確定することを含む。
【０１０６】
具体的には、端末装置の周波数ホッピングパターンは各第二の時間領域リソースユニットにおける該ＳＲＳを送信するためのＳＲＳシーケンスのサイクリックシフトと各第二の時間領域リソースユニットのインデックスとの関係を示す。端末装置は該サイクリックシフト周波数ホッピングパターンに基づき、順次複数の第二の時間領域リソースユニットのうちの各第二の時間領域リソースユニットのインデックスに基づいて、各第二の時間領域リソースユニットにおける該ＳＲＳを伝送するためのＳＲＳシーケンスのサイクリックシフトを確定し、それによって複数の第二の時間領域リソースユニットにおける該ＳＲＳを伝送するためのＳＲＳシーケンスのサイクリックシフトを順次取得する。
【０１０７】
例えば、インデックスがｋである第二の時間領域リソースユニットにおけるＳＲＳを伝送するためのＳＲＳシーケンスのサイクリックシフトは、サイクリックシフト周波数ホッピングパターンとインデックスｋに基づいて取得されてもよい。例えば、インデックスがｋである第二の時間領域リソースユニットにおけるＳＲＳを伝送するためのＳＲＳシーケンスのサイクリックシフトは、ｆ（ｋ）、即ちｋに関連する変数に等しくてもよい。
【０１０８】
状況２において、異なる端末装置によって確定された、この複数の第二の時間領域リソースユニットでＳＲＳを伝送するためのコードリソースが異なるが、異なる端末装置はそれぞれのＳＲＳを伝送する時に同じ周波数領域リソースを用いることができる。
【０１０９】
２３０において、端末装置は該ターゲットリソースに基づき、ネットワーク装置へ該ＳＲＳを送信する。
【０１１０】
具体的には、端末装置は、それ自身の専用の周波数ホッピングパターンに基づき、複数の第二の時間領域リソースユニットで該ＳＲＳを伝送するためのターゲットリソースを確定した後、該ターゲットリソースに基づき、ネットワーク装置へ該ＳＲＳを送信することができる。
【０１１１】
選択可能に、該ターゲットリソースが時間周波数物理リソースであり、端末装置は確定されたターゲットリソースでデータチャネルに対して対応するレートマッチング又はパンチング処理を行うことができる。
【０１１２】
選択可能に、該ターゲットリソースがコードリソースであり、端末装置は確定されたターゲットリソース即ち該コードリソースでリソース予約を行い、例えば対応するサイクリックシフトを予約することができる。
【０１１３】
該実施例では、端末装置はそれ自身の専用の周波数ホッピングパターンにより、複数の時間領域リソースユニットでＳＲＳを送信するためのリソースを確定し、それによって複数の時間領域リソースユニットでＳＲＳを伝送する異なる端末装置間の干渉がランダム化され、異なる端末装置間のＳＲＳ信号の干渉が低減され、端末装置間の持続的な強い干渉も回避される。
【０１１４】
図４は本出願の実施例によるＳＲＳ伝送方法４００の概略フローチャートである。該方法４００はネットワーク装置によって実行されてもよい。図４に示すように、ＳＲＳを伝送する具体的なプロセスは以下を含む。
【０１１５】
４１０において、ネットワーク装置は第一の時間領域リソースユニットにおいて、端末装置から送信されたサウンディング基準信号（ＳＲＳ）を受信するための複数の第二の時間領域リソースユニットを確定する。
【０１１６】
ここで、選択可能に、該第一の時間領域リソースユニットはスロット、ミニスロット又は直交周波数分割多重（ＯＦＤＭ）シンボルであってもよい。又は、該第一の時間領域リソースユニットはさらにサブフレームなどの他の時間領域リソースユニットであってもよい。
【０１１７】
選択可能に、該第二の時間領域リソースユニットはＯＦＤＭシンボルなどの時間領域リソースユニットであってもよい。第二の時間領域リソースユニットの長さは第一の時間領域リソースユニットにおけるデータを伝送するためのサブ搬送波間隔で計算されてもよいし、第一の時間領域リソースユニットにおけるＳＲＳを伝送するためのサブ搬送波間隔で計算されてもよい。５Ｇシステムでは複数サブ搬送波間隔がサポートされ、データを伝送するためのサブ搬送波間隔がＳＲＳを伝送するためのサブ搬送波間隔と異なってもよい。
【０１１８】
具体的には、第一の時間領域リソースユニットに複数の第二の時間領域リソースユニットが含まれる。第二の時間領域リソースユニットの長さが第一の時間領域リソースの長さより小さい。例えば、第一の時間領域リソースユニットはサブフレームであり、第二の時間領域リソースユニットはＯＦＤＭシンボルである。又は、第一の時間領域リソースユニットはＯＦＤＭシンボルであり、第二の時間領域リソースユニットは長さが第一の時間領域リソースユニットの長さより小さいＯＦＤＭシンボルである。
【０１１９】
例えば、第一の時間領域リソースユニットの長さは第一の時間領域リソースユニットにおけるデータを伝送するためのサブ搬送波間隔に基づいて確定されてもよく、第二の時間領域リソースユニットの長さは第一の時間領域リソースユニットにおけるＳＲＳを伝送するためのサブ搬送波間隔に基づいて確定されてもよい。
【０１２０】
また、例えば、第一の時間領域リソースユニットは一つのスロットであってもよく、第二の時間領域リソースユニットの長さは第一の時間領域リソースユニットにおけるデータを伝送するためのサブ搬送波間隔に基づいて確定される。
【０１２１】
４２０において、ネットワーク装置は端末装置の周波数ホッピングパターンに基づき、該複数の第二の時間領域リソースユニットで該ＳＲＳを受信するためのターゲットリソースを確定する。
【０１２２】
具体的には、ネットワーク装置は端末装置の周波数ホッピング（ｈｏｐｐｉｎｇ）パターンに基づき、該複数の第二の時間領域リソースユニットにおいて、該端末装置のＳＲＳを受信するためのターゲットリソースを確定する。該周波数ホッピングパターンは該端末装置が複数の第二の時間領域リソースユニットで該ＳＲＳを伝送するためのターゲットリソースを確定する時に使用できる周波数ホッピング（ｈｏｐｐｉｎｇ）方式を示す。
【０１２３】
端末装置の周波数ホッピングパターンはネットワーク装置によって確定され且つ端末装置に示されてもよいし、端末装置とネットワーク装置によって予め定められてもよい。
【０１２４】
選択可能に、該ターゲットリソースは、周波数領域リソース及び／又はコードリソースである。
【０１２５】
該ターゲットリソースが周波数領域リソースである場合、ネットワーク装置は、ターゲットリソースのための該周波数ホッピングパターンが周波数領域リソース周波数ホッピングパターンであることを確定する。該周波数領域リソース周波数ホッピングパターンは端末装置が複数の第二の時間領域リソースユニットで該ＳＲＳを伝送するための周波数領域リソースを確定する時に使用できる周波数ホッピング方式を示す。
【０１２６】
選択可能に、該ターゲットリソースが該ＳＲＳを送信するための周波数領域リソースを含み、該周波数ホッピングパターンが周波数領域リソース周波数ホッピングパターンであり、ここで、ネットワーク装置が該端末装置の周波数ホッピングパターンに基づき、複数の第二の時間領域リソースユニットで該ＳＲＳを受信するためのターゲットリソースを確定することは、
ネットワーク装置が該周波数領域リソース周波数ホッピングパターンに基づき、複数の第二の時間領域リソースユニットのうちの各第二の時間領域リソースユニットのインデックス、及び複数の第二の時間領域リソースのうちの１番目の第二の時間領域リソースユニットにおける該ＳＲＳを受信するための周波数領域リソースの位置に基づいて、各第二の時間領域リソースユニットにおける該ＳＲＳを受信するための周波数領域リソースを確定することを含む。
【０１２７】
該周波数領域リソース周波数ホッピングパターンは例えばｆ（ｋ）＝ｍｏｄ［ｆ（０）＋ｋ×ｄ（ｉ）、Ｎ］であってもよく、ここで、ｆ（ｋ）が第一の時間領域リソースユニットのうちのインデックスがｋである第二の時間領域リソースユニットにおけるターゲットリソースの周波数領域開始位置であり、ｋが正整数であり、ｄ（ｉ）が、周波数ホッピングＩＤがｉである時に得られた周波数ホッピングパラメータであり、Ｎが許可された最大の周波数領域リソース開始位置の値である。
【０１２８】
選択可能に、該ターゲットリソースが該ＳＲＳを送信するための周波数領域リソースを含み、該周波数ホッピングパターンが周波数領域リソース周波数ホッピングパターンであり、ここで、ネットワーク装置が端末装置の周波数ホッピングパターンに基づき、該複数の第二の時間領域リソースユニットで該ＳＲＳを受信するためのターゲットリソースを確定することは、
ネットワーク装置が該周波数領域リソース周波数ホッピングパターンに基づき、該複数の第二の時間領域リソースユニットのうちの各第二の時間領域リソースユニットのインデックス及び第一の時間領域リソースユニットのインデックスに基づいて、各第二の時間領域リソースユニットにおける該ＳＲＳを受信するための周波数領域リソースを確定することを含む。
【０１２９】
該周波数領域リソース周波数ホッピングパターンは例えばｆ（ｋ）＝ｍｏｄ［ｇ（ｍ）＋ｋ×ｄ（ｉ）、Ｎ］であってもよく、ここで、ｆ（ｋ）が第一の時間領域リソースユニットのうちのインデックスがｋである第二の時間領域リソースユニットにおけるターゲットリソースの周波数領域開始位置であり、ｋが正整数であり、ｄ（ｉ）が、周波数ホッピングＩＤがｉである時に得られた周波数ホッピングパラメータであり、ｇ（ｍ）が第一の時間領域リソースユニットのインデックスｍに基づく周波数領域リソース位置の値であり、Ｎが許可された最大の周波数領域リソース開始位置の値である。
【０１３０】
選択可能に、該コードリソースはＳＲＳシーケンスを生成するためのルートシーケンス、及び／又はＳＲＳシーケンスを生成するためのサイクリックシフトである。
【０１３１】
該ターゲットリソースがコードリソースである場合、ネットワーク装置は、ターゲットリソースのための該周波数ホッピング（ｈｏｐｐｉｎｇ）パターンがシーケンス周波数ホッピングパターン又はサイクリックシフト周波数ホッピングパターンであってもよいことを確定する。該シーケンス周波数ホッピングパターンはネットワーク装置が複数の第二の時間領域リソースユニットで該ＳＲＳを伝送するためのＳＲＳシーケンスのルートシーケンスを確定する時に使用できるシーケンス周波数ホッピング方式を示す。該サイクリックシフト周波数ホッピングパターンはネットワーク装置が複数の第二の時間領域リソースユニットで該ＳＲＳを伝送するためのＳＲＳシーケンスのサイクリックシフトを確定する時に使用できるサイクリックシフト周波数ホッピング方式を示す。
【０１３２】
選択可能に、該ターゲットリソースがＳＲＳシーケンスを生成するためのルートシーケンスであり、該周波数ホッピングパターンがシーケンス周波数ホッピングパターンであり、ここで、ネットワーク装置が端末装置の周波数ホッピングパターンに基づき、複数の第二の時間領域リソースユニットで該ＳＲＳを受信するためのターゲットリソースを確定することは、
ネットワーク装置が該シーケンス周波数ホッピングパターンに基づき、複数の第二の時間領域リソースユニットのうちの各第二の時間領域リソースユニットのインデックスに基づいて、各第二の時間領域リソースユニットにおける該ＳＲＳを受信するためのＳＲＳシーケンスのルートシーケンスを確定することを含む。
【０１３３】
例えば、シーケンス周波数ホッピングパターンは予め設定された擬似ランダムシーケンスに基づいて取得されてもよく、インデックスがｋである第二の時間領域リソースユニットにおけるＳＲＳを伝送するためのＳＲＳシーケンスのルートシーケンスＩＤは、シーケンス周波数ホッピングパターンとインデックスｋに基づいて取得されてもよい。
【０１３４】
選択可能に、該ターゲットリソースがＳＲＳシーケンスを生成するためのサイクリックシフトであり、該周波数ホッピングパターンがサイクリックシフト周波数ホッピングパターンであり、ここで、ネットワーク装置が端末装置の周波数ホッピングパターンに基づき、複数の第二の時間領域リソースユニットで該ＳＲＳを受信するためのターゲットリソースを確定することは、
ネットワーク装置がサイクリックシフト周波数ホッピングパターンに基づき、複数の第二の時間領域リソースユニットのうちの各第二の時間領域リソースユニットのインデックスに基づいて、各第二の時間領域リソースユニットにおける該ＳＲＳを受信するためのＳＲＳシーケンスのサイクリックシフトを確定することを含む。
【０１３５】
例えば、インデックスがｋである第二の時間領域リソースユニットにおけるＳＲＳを伝送するためのＳＲＳシーケンスのサイクリックシフトは、サイクリックシフト周波数ホッピングパターンとインデックスｋに基づいて取得されてもよい。
【０１３６】
ターゲットリソースが周波数領域リソース又はコードリソースであるという２つの状況に対して、ネットワーク装置が複数の第二の時間領域リソースユニットで該ＳＲＳを受信するためのターゲットリソースを確定するプロセスは前の２２０の状況１と状況２における端末装置に対する説明を参照でき、簡潔にするために、ここでは説明しない。
【０１３７】
４３０において、ネットワーク装置は該ターゲットリソースに基づき、端末装置から送信された該ＳＲＳを受信する。
【０１３８】
具体的には、ネットワーク装置は複数の第二の時間領域リソースユニットにおける端末装置のＳＲＳを伝送するためのターゲットリソースを確定した後、該ターゲットリソースで端末装置から送信された該端末装置のＳＲＳを受信する。
【０１３９】
該実施例では、ネットワーク装置は端末装置の専用の周波数ホッピングパターンにより、ＳＲＳを受信するための複数の時間領域リソースユニットにおいて、該ＳＲＳを受信するためのリソースを確定し、それによって該複数の時間領域リソースユニットで受信された、異なる端末装置からのＳＲＳ信号の間の干渉がランダム化され、異なる端末装置間のＳＲＳ信号の干渉が低減され、端末装置間の持続的な強い干渉も回避される。
【０１４０】
選択可能に、ネットワーク装置が前記ターゲットリソースに基づき、端末装置から送信された該ＳＲＳを受信する前に、前記方法はさらにネットワーク装置が端末装置へダウンリンク制御情報（ＤＣＩ）を送信し、前記ＤＣＩが該ＳＲＳを送信するように端末に指示することに用いられ、該ＤＣＩに該周波数ホッピングパターンの情報が含まれることを含む。
【０１４１】
具体的には、ネットワーク装置はＳＲＳを送信するように端末装置に指示する時に、さらに端末装置へ指示情報を同時に送信して該端末装置の周波数ホッピングパターンを示すことができる。例えば、ネットワーク装置は該端末装置へＳＲＳをトリガするためのＤＣＩを送信することができ、該ＤＣＩに周波数ホッピングパターンＩＤ（又はＳＲＳ  ＩＤと呼ばれる）が含まれてもよく、端末装置は該ＤＣＩを受信した後、該周波数ホッピングパターンＩＤに応じてそれ自身の周波数ホッピングパターンを確定することができる。
【０１４２】
図５は本出願の実施例による端末装置５００の概略ブロック図である。図５に示すように、該端末装置５００は確定ユニット５１０と送信ユニット５２０を備える。ここで、
該確定ユニット５１０は、第一の時間領域リソースユニットにおいて、前記端末装置のサウンディング基準信号（ＳＲＳ）を送信するための複数の第二の時間領域リソースユニットを確定するように構成される。
【０１４３】
該確定ユニット５１０はさらに、前記端末装置の周波数ホッピングパターンに基づき、前記複数の第二の時間領域リソースユニットで前記ＳＲＳを送信するためのターゲットリソースを確定するように構成される。
【０１４４】
該送信ユニット５２０は該確定ユニット５１０によって確定された前記ターゲットリソースに基づき、ネットワーク装置へ前記ＳＲＳを送信する。
【０１４５】
したがって、端末装置はそれ自身の専用の周波数ホッピングパターンにより、複数の時間領域リソースユニットでＳＲＳを送信するためのリソースを確定し、それによって複数の時間領域リソースユニットでＳＲＳを伝送する異なる端末装置間の干渉がランダム化され、異なる端末装置間のＳＲＳ信号の干渉が低減され、端末装置間の持続的な強い干渉も回避される。
【０１４６】
選択可能に、前記第一の時間領域リソースユニットはスロット、ミニスロット又は直交周波数分割多重（ＯＦＤＭ）シンボルである。
【０１４７】
選択可能に、前記第二の時間領域リソースユニットは直交周波数分割多重（ＯＦＤＭ）シンボルである。
【０１４８】
選択可能に、前記ターゲットリソースは、周波数領域リソース及び／又はコードリソースである。
【０１４９】
選択可能に、前記ターゲットリソースが前記ＳＲＳを送信するための周波数領域リソースであり、前記周波数ホッピングパターンが周波数領域リソース周波数ホッピングパターンであり、前記確定ユニット５１０は具体的に、
前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを送信するための周波数領域リソースの位置に基づいて、前記各第二の時間領域リソースユニットにおける前記ＳＲＳを送信するための周波数領域リソースを確定するように構成される。
【０１５０】
選択可能に、前記ターゲットリソースが前記ＳＲＳを送信するための周波数領域リソースであり、前記周波数ホッピングパターンが周波数領域リソース周波数ホッピングパターンであり、前記確定ユニット５１０は具体的に、
前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを送信するための周波数領域リソースを確定するように構成される。
【０１５１】
選択可能に、前記コードリソースはＳＲＳシーケンスを生成するためのルートシーケンス、及び／又はＳＲＳシーケンスを生成するためのサイクリックシフトである。
【０１５２】
選択可能に、前記ターゲットリソースがＳＲＳシーケンスを生成するためのルートシーケンスであり、前記周波数ホッピングパターンがシーケンス周波数ホッピングパターンであり、前記確定ユニット５１０は具体的に、
前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのルートシーケンスを確定するように構成される。
【０１５３】
選択可能に、前記ターゲットリソースがＳＲＳシーケンスを生成するためのサイクリックシフトであり、前記周波数ホッピングパターンがサイクリックシフト周波数ホッピングパターンであり、前記確定ユニット５１０は具体的に、
前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのサイクリックシフトを確定するように構成される。
【０１５４】
選択可能に、前記端末装置はさらに送信ユニットを備え、前記送信ユニットが前記ターゲットリソースに基づいてネットワーク装置へ前記ＳＲＳを送信する前に、前記ネットワーク装置から送信されたダウンリンク制御情報（ＤＣＩ）を受信するように構成され、前記ＤＣＩが前記ＳＲＳを送信するように前記端末装置に指示することに用いられ、前記ＤＣＩに前記周波数ホッピングパターンの情報が含まれる。
【０１５５】
理解すべきものとして、該端末装置５００は方法の実施例における端末装置に対応してもよく、該端末装置の対応する機能を実現することができ、簡潔にするために、ここで説明を省略する。
【０１５６】
図６は本出願の実施例によるネットワーク装置６００の概略ブロック図である。図６に示すように、該ネットワーク装置６００は確定ユニット６１０と受信ユニット６２０を備える。ここで、
該確定ユニット６１０は、第一の時間領域リソースユニットにおいて、端末装置から送信されたサウンディング基準信号（ＳＲＳ）を受信するための複数の第二の時間領域リソースユニットを確定するように構成される。
【０１５７】
該確定ユニット６１０はさらに、前記端末装置の周波数ホッピングパターンに基づき、前記複数の第二の時間領域リソースユニットで前記ＳＲＳを受信するためのターゲットリソースを確定するように構成される。
【０１５８】
該受信ユニット６２０は該確定ユニット６１０によって確定された前記ターゲットリソースに基づき、前記端末装置から送信された前記ＳＲＳを受信するように構成される。
【０１５９】
したがって、ネットワーク装置は端末装置の専用の周波数ホッピングパターンにより、ＳＲＳを受信するための複数の時間領域リソースユニットにおいて、該ＳＲＳを受信するためのリソースを確定し、それによって該複数の時間領域リソースユニットで受信された、異なる端末装置からのＳＲＳ信号の間の干渉がランダム化され、異なる端末装置間のＳＲＳ信号の干渉が低減され、端末装置間の持続的な強い干渉も回避される。
【０１６０】
選択可能に、前記第一の時間領域リソースユニットはスロット、ミニスロット又は直交周波数分割多重（ＯＦＤＭ）シンボルである。
【０１６１】
選択可能に、前記第二の時間領域リソースユニットは直交周波数分割多重（ＯＦＤＭ）シンボルである。
【０１６２】
選択可能に、前記ターゲットリソースは、周波数領域リソース及び／又はコードリソースである。
【０１６３】
選択可能に、前記ターゲットリソースが前記ＳＲＳを送信するための周波数領域リソースであり、前記周波数ホッピングパターンが周波数領域リソース周波数ホッピングパターンであり、前記確定ユニット６１０は具体的に、
前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを受信するための周波数領域リソースの位置に基づいて、前記各第二の時間領域リソースユニットにおける前記ＳＲＳを受信するための周波数領域リソースを確定するように構成される。
【０１６４】
選択可能に、前記ターゲットリソースが前記ＳＲＳを送信するための周波数領域リソースであり、前記周波数ホッピングパターンが周波数領域リソース周波数ホッピングパターンであり、前記確定ユニット６１０は具体的に、
前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを受信するための周波数領域リソースを確定するように構成される。
【０１６５】
選択可能に、前記コードリソースはＳＲＳシーケンスを生成するためのルートシーケンス、及び／又はＳＲＳシーケンスを生成するためのサイクリックシフトである。
【０１６６】
選択可能に、前記ターゲットリソースがＳＲＳシーケンスを生成するためのルートシーケンスであり、前記周波数ホッピングパターンがシーケンス周波数ホッピングパターンであり、前記確定ユニット６１０は具体的に、
前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのルートシーケンスを確定するように構成される。
【０１６７】
選択可能に、前記ターゲットリソースがＳＲＳシーケンスを生成するためのサイクリックシフトであり、前記周波数ホッピングパターンがサイクリックシフト周波数ホッピングパターンであり、前記確定ユニット６１０は具体的に、
前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのサイクリックシフトを確定するように構成される。
【０１６８】
選択可能に、前記ネットワーク装置はさらに送信ユニットを備え、前記送信ユニットが前記ターゲットリソースに基づき、端末装置から送信された前記ＳＲＳを受信する前に、前記端末装置へダウンリンク制御情報（ＤＣＩ）を送信するように構成され、前記ＤＣＩが前記ＳＲＳを送信するように前記端末装置に指示することに用いられ、前記ＤＣＩに前記周波数ホッピングパターンの情報が含まれる。
【０１６９】
図７は本出願の実施例による端末装置７００の概略構造図である。図７に示すように、該端末装置はプロセッサ７１０、送受信機７２０とメモリ７３０を備え、ここで、該プロセッサ７１０、送受信機７２０とメモリ７３０が内部接続パスを介して相互に通信する。該メモリ７３０は命令を記憶するように構成され、該プロセッサ７１０は、信号を受信又は送信するように該送受信機７２０を制御するように、該メモリ７３０に記憶された命令を実行するように構成される。
【０１７０】
該プロセッサ７１０は、第一の時間領域リソースユニットにおいて、前記端末装置のサウンディング基準信号（ＳＲＳ）を送信するための複数の第二の時間領域リソースユニットを確定し、前記端末装置の周波数ホッピングパターンに基づき、前記複数の第二の時間領域リソースユニットで前記ＳＲＳを送信するためのターゲットリソースを確定するように構成される。
【０１７１】
該送受信機７２０は該プロセッサ７１０によって確定された前記ターゲットリソースに基づき、ネットワーク装置へ前記ＳＲＳを送信するように構成される。
【０１７２】
したがって、端末装置はそれ自身の専用の周波数ホッピングパターンにより、複数の時間領域リソースユニットでＳＲＳを送信するためのリソースを確定し、それによって複数の時間領域リソースユニットでＳＲＳを伝送する異なる端末装置間の干渉がランダム化され、異なる端末装置間のＳＲＳ信号の干渉が低減され、端末装置間の持続的な強い干渉も回避される。
【０１７３】
選択可能に、前記第一の時間領域リソースユニットはスロット、ミニスロット又は直交周波数分割多重（ＯＦＤＭ）シンボルである。
【０１７４】
選択可能に、前記第二の時間領域リソースユニットは直交周波数分割多重（ＯＦＤＭ）シンボルである。
【０１７５】
選択可能に、前記ターゲットリソースは、周波数領域リソース及び／又はコードリソースである。
【０１７６】
選択可能に、前記ターゲットリソースが前記ＳＲＳを送信するための周波数領域リソースであり、前記周波数ホッピングパターンが周波数領域リソース周波数ホッピングパターンであり、前記プロセッサ７１０は具体的に、
前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを送信するための周波数領域リソースの位置に基づいて、前記各第二の時間領域リソースユニットにおける前記ＳＲＳを送信するための周波数領域リソースを確定するように構成される。
【０１７７】
選択可能に、前記ターゲットリソースが前記ＳＲＳを送信するための周波数領域リソースであり、前記周波数ホッピングパターンが周波数領域リソース周波数ホッピングパターンであり、前記プロセッサ７１０は具体的に、
前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを送信するための周波数領域リソースを確定するように構成される。
【０１７８】
選択可能に、前記コードリソースはＳＲＳシーケンスを生成するためのルートシーケンス、及び／又はＳＲＳシーケンスを生成するためのサイクリックシフトである。
【０１７９】
選択可能に、前記ターゲットリソースがＳＲＳシーケンスを生成するためのルートシーケンスであり、前記周波数ホッピングパターンがシーケンス周波数ホッピングパターンであり、前記プロセッサ７１０は具体的に、
前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのルートシーケンスを確定するように構成される。
【０１８０】
選択可能に、前記ターゲットリソースがＳＲＳシーケンスを生成するためのサイクリックシフトであり、前記周波数ホッピングパターンがサイクリックシフト周波数ホッピングパターンであり、前記プロセッサ７１０は具体的に、
前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを送信するためのＳＲＳシーケンスのサイクリックシフトを確定するように構成される。
【０１８１】
選択可能に、前記送受信機７２０はさらに前記ターゲットリソースに基づき、ネットワーク装置へ前記ＳＲＳを送信する前に、前記ネットワーク装置から送信されたダウンリンク制御情報（ＤＣＩ）を受信するように構成され、前記ＤＣＩが前記ＳＲＳを送信するように前記端末装置に指示することに用いられ、前記ＤＣＩに前記周波数ホッピングパターンの情報が含まれる。
【０１８２】
理解すべきものとして、本出願の実施例では、該プロセッサ７１０は中央処理ユニット（Ｃｅｎｔｒａｌ  Ｐｒｏｃｅｓｓｉｎｇ  Ｕｎｉｔ：「ＣＰＵ」と略称）であってもよく、該プロセッサ７１０はさらに他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１８３】
該メモリ７３０は読み取り専用メモリとランダムアクセスメモリを含み、そしてプロセッサ７１０へ命令とデータを提供することができる。メモリ７３０の一部は不揮発性ランダムアクセスメモリを含むことができる。例えば、メモリ７３０はさらに装置タイプの情報を記憶することができる。
【０１８４】
実施プロセスでは、上記方法の各ステップは、プロセッサ７１０内のハードウェアの集積論理回路又はソフトウェアの形の命令によって完了されてもよい。本出願の実施例と組み合わせて開示された測位方法のステップはハードウェアプロセッサによって実行されて完了され、又はプロセッサ７１０におけるハードウェア又はソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ７３０に位置し、プロセッサ７１０はメモリ７３０における情報を読み取り、そのハードウェアと組み合わせて上記方法のステップを完了する。繰り返しを回避するために、ここで詳細な説明を省略する。
【０１８５】
本出願の実施例による端末装置７００は、上記方法２００における方法２００を実行するための端末装置、及び本出願の実施例による端末装置５００に対応することができ、そして該端末装置７００内の各ユニット又はモジュールは、それぞれ上記方法２００における端末装置によって実行される各動作又は処理プロセスを実行することに用いられ、ここで、繰り返し説明を回避するために、その詳細な説明を省略する。
【０１８６】
図８は本出願の実施例によるネットワーク装置８００の概略構造図である。図８に示すように、該ネットワーク装置はプロセッサ８１０、送受信機８２０とメモリ８３０を備え、ここで、該プロセッサ８１０、送受信機８２０とメモリ８３０が内部接続パスを介して相互に通信する。該メモリ８３０は命令を記憶するように構成され、該プロセッサ８１０は、信号を受信又は送信するように該送受信機８２０を制御するように、該メモリ８３０に記憶された命令を実行するように構成される。
【０１８７】
該プロセッサ８１０は、第一の時間領域リソースユニットにおいて、端末装置から送信されたサウンディング基準信号（ＳＲＳ）を受信するための複数の第二の時間領域リソースユニットを確定し、前記端末装置の周波数ホッピングパターンに基づき、前記複数の第二の時間領域リソースユニットで前記ＳＲＳを受信するためのターゲットリソースを確定するように構成される。
【０１８８】
該送受信機８２０は該プロセッサ８１０によって確定された前記ターゲットリソースに基づき、前記端末装置から送信された前記ＳＲＳを受信するように構成される。
【０１８９】
したがって、ネットワーク装置は端末装置の専用の周波数ホッピングパターンにより、ＳＲＳを受信するための複数の時間領域リソースユニットにおいて、該ＳＲＳを受信するためのリソースを確定し、それによって該複数の時間領域リソースユニットで受信された、異なる端末装置からのＳＲＳ信号の間の干渉がランダム化され、異なる端末装置間のＳＲＳ信号の干渉が低減され、端末装置間の持続的な強い干渉も回避される。
【０１９０】
選択可能に、前記第一の時間領域リソースユニットはスロット、ミニスロット又は直交周波数分割多重（ＯＦＤＭ）シンボルである。
【０１９１】
選択可能に、前記第二の時間領域リソースユニットは直交周波数分割多重（ＯＦＤＭ）シンボルである。
【０１９２】
選択可能に、前記ターゲットリソースは、周波数領域リソース及び／又はコードリソースである。
【０１９３】
選択可能に、前記ターゲットリソースが前記ＳＲＳを送信するための周波数領域リソースであり、前記周波数ホッピングパターンが周波数領域リソース周波数ホッピングパターンであり、前記プロセッサ８１０は具体的に、
前記周波数領域リソース周波数ホッピングパターンに基づき、前記複数の第二の時間領域リソースユニットのうちの各第二の時間領域リソースユニットのインデックス、及び前記複数の第二の時間領域リソースのうちの１番目の第二の時間領域リソースユニットにおける前記ＳＲＳを受信するための周波数領域リソースの位置に基づいて、前記各第二の時間領域リソースユニットにおける前記ＳＲＳを受信するための周波数領域リソースを確定するように構成される。
【０１９４】
選択可能に、前記ターゲットリソースが前記ＳＲＳを送信するための周波数領域リソースであり、前記周波数ホッピングパターンが周波数領域リソース周波数ホッピングパターンであり、前記プロセッサ８１０は具体的に、
前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを受信するための周波数領域リソースを確定するように構成される。
【０１９５】
選択可能に、前記コードリソースはＳＲＳシーケンスを生成するためのルートシーケンス、及び／又はＳＲＳシーケンスを生成するためのサイクリックシフトである。
【０１９６】
選択可能に、前記ターゲットリソースがＳＲＳシーケンスを生成するためのルートシーケンスであり、前記周波数ホッピングパターンがシーケンス周波数ホッピングパターンであり、前記プロセッサ８１０は具体的に、
前記シーケンス周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのルートシーケンスを確定するように構成される。
【０１９７】
選択可能に、前記ターゲットリソースがＳＲＳシーケンスを生成するためのサイクリックシフトであり、前記周波数ホッピングパターンがサイクリックシフト周波数ホッピングパターンであり、前記プロセッサ８１０は具体的に、
前記サイクリックシフト周波数ホッピングパターンに基づき、前記複数の第二の時間領域リソースユニットのうちの各第二の時間領域リソースユニットのインデックスに基づいて、前記各第二の時間領域リソースユニットにおける前記ＳＲＳを受信するためのＳＲＳシーケンスのサイクリックシフトを確定するように構成される。
【０１９８】
選択可能に、前記送受信機８２０はさらに前記ターゲットリソースに基づき、端末装置から送信された前記ＳＲＳを受信する前に、前記端末装置へダウンリンク制御情報（ＤＣＩ）を送信するように構成され、前記ＤＣＩが前記ＳＲＳを送信するように前記端末装置に指示することに用いられ、前記ＤＣＩに前記周波数ホッピングパターンの情報が含まれる。
【０１９９】
理解すべきものとして、本発明の実施例では、該プロセッサ８１０は中央処理ユニット（Ｃｅｎｔｒａｌ  Ｐｒｏｃｅｓｓｉｎｇ  Ｕｎｉｔ：「ＣＰＵ」と略称）であってもよく、該プロセッサ８１０はさらに他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２００】
該メモリ８３０は読み取り専用メモリとランダムアクセスメモリを含み、そしてプロセッサ８１０へ命令とデータを提供することができる。メモリ８３０の一部は不揮発性ランダムアクセスメモリを含むことができる。例えば、メモリ８３０は装置タイプの情報を記憶することもできる。
【０２０１】
実施プロセスでは、上記方法の各ステップは、プロセッサ８１０内のハードウェアの集積論理回路又はソフトウェアの形の命令によって完了されてもよい。本出願の実施例と組み合わせて開示された測位方法のステップはハードウェアプロセッサによって実行されて完了され、又はプロセッサ８１０におけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ８３０に位置し、プロセッサ８１０はメモリ８３０における情報を読み取り、そのハードウェアと組み合わせて上記方法のステップを完了する。繰り返しを回避するために、ここで詳細な説明を省略する。
【０２０２】
本出願の実施例によるネットワーク装置８００は、上記方法４００における方法４００を実行するためのネットワーク装置、及び本出願の実施例によるネットワーク装置６００に対応することができ、そして該ネットワーク装置８００内の各ユニット又はモジュールは、それぞれ上記方法４００におけるネットワーク装置によって実行される各動作又は処理プロセスを実行することに用いられ、ここで、繰り返し説明を回避するために、その詳細な説明を省略する。
【０２０３】
図９は本出願の実施例によるシステムチップの概略構造図である。図９のシステムチップ９００は入力インタフェース９０１、出力インタフェース９０２、少なくとも一つのプロセッサ９０３、メモリ９０４を備え、前記入力インタフェース９０１、出力インタフェース９０２、前記プロセッサ９０３及びメモリ９０４が内部接続パスを介して接続される。前記プロセッサ９０３は前記メモリ９０４でのコードを実行するように構成される。
【０２０４】
選択可能に、前記コードが実行される場合、前記プロセッサ９０３は方法の実施例における端末装置によって実行される方法を実現することができる。簡潔にするために、ここでは説明を省略する。
【０２０５】
選択可能に、前記コードが実行される場合、前記プロセッサ９０３は方法の実施例におけるネットワーク装置によって実行される方法を実現することができる。簡潔にするために、ここでは説明を省略する。
【０２０６】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０２０７】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することが可能であるが、このような実現は本出願の範囲を超えると考慮されるべきではない。
【０２０８】
当業者は、便利及び簡潔に説明するために、上記のシステム、装置及びユニットの具体的な動作プロセスについて、前記方法の実施例における対応するプロセスを参照できるため、ここでは説明を省略することを明確に理解することができる。
【０２０９】
本出願が提供する、いくつかの実施例では、開示されたシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介す間接的結合又は通信接続であってもよく、電気的、機械的又は他の形態であってもよい。
【０２１０】
分離部材として説明された該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の技術的解決策の目的を達成することができる。
【０２１１】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２１２】
該機能はソフトウェア機能ユニットの形態で実現され且つ独立した製品として販売又は使用される時に、一つのコンピュータ可読記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例における該方法の全て又は一部のステップを実行させるためのいくつかの命令を含む、記憶媒体に記憶される。前記憶媒体はＵディスク、モバイルハードディスク、読み出し専用メモリ（Ｒｅａｄ−Ｏｎｌｙ  Ｍｅｍｏｒｙ：「ＲＯＭ」と略称）、ランダムアクセスメモリ（Ｒａｎｄｏｍ  Ａｃｃｅｓｓ  Ｍｅｍｏｒｙ：「ＲＡＭ」と略称）、磁気ディスク又は光ディスク等のプログラムコードを記憶できる各種の媒体を含む。
【０２１３】
以上は、本出願の具体的な実施形態だけであるが、本出願の実施例の保護範囲はこれに制限されず、当業者が本出願の実施例で開示された技術範囲内で容易に想到し得る変化又は入れ替わりが全て本出願の保護範囲以内に含まれるべきである。従って、本出願の実施例の保護範囲は請求項の保護範囲に準拠するべきである。
【図１】
2020509630.tif 000003
【図２】
2020509630.tif 000004
【図３】
2020509630.tif 000005
【図４】
2020509630.tif 000006
【図５】
2020509630.tif 000007
【図６】
2020509630.tif 000008
【図７】
2020509630.tif 000009
【図８】
2020509630.tif 000010
【図９】
2020509630.tif 000011
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
サウンディング基準信号伝送方法であって、
端末装置は、第一の時間領域リソースユニットにおいて、前記端末装置のサウンディング基準信号（ＳＲＳ）を送信するための複数の第二の時間領域リソースユニットを確定することと、
前記端末装置は、前記端末装置の周波数ホッピングパターンに基づき、前記複数の第二の時間領域リソースユニットで前記ＳＲＳを送信するためのターゲットリソースを確定することと、
前記端末装置は、前記ターゲットリソースに基づき、ネットワーク装置へ前記ＳＲＳを送信することとを含む、前記サウンディング基準信号伝送方法。
【請求項２】
前記第一の時間領域リソースユニットはスロット、ミニスロット又は直交周波数分割多重（ＯＦＤＭ）シンボルであることを特徴とする
請求項１に記載の方法。
【請求項３】
前記第二の時間領域リソースユニットは直交周波数分割多重（ＯＦＤＭ）シンボルであることを特徴とする
請求項１又は２に記載の方法。
【請求項４】
前記ターゲットリソースは、周波数領域リソース及び／又はコードリソースであることを特徴とする
請求項１−３のいずれか一項に記載の方法。
【請求項５】
前記ターゲットリソースが前記ＳＲＳを送信するための周波数領域リソースであり、前記周波数ホッピングパターンが周波数領域リソース周波数ホッピングパターンであり、
前記端末装置が前記端末装置の周波数ホッピングパターンに基づき、前記複数の第二の時間領域リソースユニットで前記ＳＲＳを送信するためのターゲットリソースを確定することは、
前記端末装置は、前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを送信するための周波数領域リソースを確定することを含むことを特徴とする
請求項４に記載の方法。
【請求項６】
前記周波数領域リソース周波数ホッピングパターンはｆ（ｋ）＝ｍｏｄ［ｇ（ｍ）＋ｋ×ｄ（ｉ）、Ｎ］であってもよく、ここで、ｆ（ｋ）が前記第一の時間領域リソースユニットのうちのインデックスがｋである第二の時間領域リソースユニットにおけるターゲットリソースの周波数領域開始位置であり、ｋが正整数であり、ｄ（ｉ）が、周波数ホッピングＩＤがｉである時に得られた周波数ホッピングパラメータであり、ｇ（ｍ）が第一の時間領域リソースユニットのインデックスｍに基づく周波数領域リソース位置の値であり、Ｎが許可された最大の周波数ホッピング開始位置の値であることを特徴とする
請求項５に記載の方法。
【請求項７】
端末装置であって、確定ユニットと送信ユニットとを備え、
前記確定ユニットは、第一の時間領域リソースユニットにおいて、前記端末装置のサウンディング基準信号（ＳＲＳ）を送信するための複数の第二の時間領域リソースユニットを確定するように構成され、
前記確定ユニットはさらに、前記端末装置の周波数ホッピングパターンに基づき、前記複数の第二の時間領域リソースユニットで前記ＳＲＳを送信するためのターゲットリソースを確定するように構成され、
前記送信ユニットは、前記確定ユニットによって確定された前記ターゲットリソースに基づき、ネットワーク装置へ前記ＳＲＳを送信するように構成される、前記端末装置。
【請求項８】
前記第一の時間領域リソースユニットはスロット、ミニスロット又は直交周波数分割多重（ＯＦＤＭ）シンボルであることを特徴とする
請求項７に記載の端末装置。
【請求項９】
前記第二の時間領域リソースユニットは直交周波数分割多重（ＯＦＤＭ）シンボルであることを特徴とする
請求項７又は８に記載の端末装置。
【請求項１０】
前記ターゲットリソースは、周波数領域リソース及び／又はコードリソースであることを特徴とする
請求項７−９のいずれか一項に記載の端末装置。
【請求項１１】
前記ターゲットリソースが前記ＳＲＳを送信するための周波数領域リソースであり、前記周波数ホッピングパターンが周波数領域リソース周波数ホッピングパターンであり、前記確定ユニットは具体的に、
前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを送信するための周波数領域リソースを確定するように構成されることを特徴とする
請求項１０に記載の端末装置。
【請求項１２】
前記周波数領域リソース周波数ホッピングパターンはｆ（ｋ）＝ｍｏｄ［ｇ（ｍ）＋ｋ×ｄ（ｉ）、Ｎ］であってもよく、ここで、ｆ（ｋ）が前記第一の時間領域リソースユニットのうちのインデックスがｋである第二の時間領域リソースユニットにおけるターゲットリソースの周波数領域開始位置であり、ｋが正整数であり、ｄ（ｉ）が、周波数ホッピングＩＤがｉである時に得られた周波数ホッピングパラメータであり、ｇ（ｍ）が第一の時間領域リソースユニットのインデックスｍに基づく周波数領域リソース位置の値であり、Ｎが許可された最大の周波数ホッピング開始位置の値であることを特徴とする
請求項１１に記載の端末装置。
【請求項１３】
ネットワーク装置であって、確定ユニットと受信ユニットとを備え、
確定ユニットは、第一の時間領域リソースユニットにおいて、端末装置から送信されたサウンディング基準信号（ＳＲＳ）を受信するための複数の第二の時間領域リソースユニットを確定するように構成され、
前記確定ユニットはさらに、前記端末装置の周波数ホッピングパターンに基づき、前記複数の第二の時間領域リソースユニットで前記ＳＲＳを受信するためのターゲットリソースを確定するように構成され、
受信ユニットは、前記確定ユニットによって確定された前記ターゲットリソースに基づき、前記端末装置から送信された前記ＳＲＳを受信するように構成される、前記ネットワーク装置。
【請求項１４】
前記第一の時間領域リソースユニットはスロット、ミニスロット又は直交周波数分割多重（ＯＦＤＭ）シンボルであることを特徴とする
請求項１３に記載のネットワーク装置。
【請求項１５】
前記第二の時間領域リソースユニットは直交周波数分割多重（ＯＦＤＭ）シンボルであることを特徴とする
請求項１３又は１４に記載のネットワーク装置。
【請求項１６】
前記ターゲットリソースは、周波数領域リソース及び／又はコードリソースであることを特徴とする
請求項１３−１５のいずれか一項に記載のネットワーク装置。
【請求項１７】
前記ターゲットリソースが前記ＳＲＳを受信するための周波数領域リソースであり、前記周波数ホッピングパターンが周波数領域リソース周波数ホッピングパターンであり、前記確定ユニットは具体的に、
前記周波数領域リソース周波数ホッピングパターンに基づき、前記複数の第二の時間領域リソースユニットのうちの各第二の時間領域リソースユニットのインデックス及び前記第一の時間領域リソースユニットのインデックスに基づいて、前記各第二の時間領域リソースユニットにおける前記ＳＲＳを受信するための周波数領域リソースを確定するように構成されることを特徴とする
請求項１６に記載のネットワーク装置。
【請求項１８】
前記周波数領域リソース周波数ホッピングパターンはｆ（ｋ）＝ｍｏｄ［ｇ（ｍ）＋ｋ×ｄ（ｉ）、Ｎ］であってもよく、ここで、ｆ（ｋ）が前記第一の時間領域リソースユニットのうちのインデックスがｋである第二の時間領域リソースユニットにおけるターゲットリソースの周波数領域開始位置であり、ｋが正整数であり、ｄ（ｉ）が、周波数ホッピングＩＤがｉである時に得られた周波数ホッピングパラメータであり、ｇ（ｍ）が第一の時間領域リソースユニットのインデックスｍに基づく周波数領域リソース位置の値であり、Ｎが許可された最大の周波数ホッピング開始位置の値であることを特徴とする
請求項１７に記載のネットワーク装置。
【国際調査報告】
2020509630.tif 000012
2020509630.tif 000013
2020509630.tif 000014
2020509630.tif 000015